(57)【特許請求の範囲】
【請求項１】
ＣＣＤカメラ等の撮像手段を備え、盗撮を防止するための機能を有する撮像装置において、該撮像装置は、盗撮防止情報発生装置が発生する予め定められた特徴を有する盗撮防止情報を、撮像画像から得られる画像信号から検出して前記盗撮防止情報が撮像されていることを示す盗撮防止信号を出力する盗撮防止情報検出部を有することを特徴とする撮像装置。
【請求項２】
前記撮像装置は、前記盗撮防止情報検出部より出力された前記盗撮防止信号に基づいて、撮像機能をオフにする制御を行う撮像制御部を有することを特徴とする請求項１に記載の撮像装置。
【請求項３】
前記撮像装置は、前記盗撮防止情報検出部より出力された前記盗撮防止信号に基づいて、盗撮を警告する盗撮防止画像を出力する盗撮防止画像出力部を有することを特徴とする請求項１に記載の撮像装置。
【請求項４】
前記盗撮防止画像出力部は、前記盗撮防止画像を生成する盗撮防止画像生成部と、該盗撮防止画像生成部にて生成された前記盗撮防止画像及び通常の撮像画像のいずれかを前記盗撮防止信号の入力の有無に基づいて切り替えて出力する切替部とを有することを特徴とする請求項３に記載の撮像装置。
【請求項５】
前記盗撮防止画像出力部は、撮像画像に盗撮防止のための画像処理を施して前記盗撮防止画像を生成する盗撮防止画像処理部と、該盗撮防止画像処理部にて生成された前記盗撮防止画像及び通常の撮像画像のいずれかを前記撮像防止信号の入力の有無に基づいて切り替えて出力する切替部を有することを特徴とする請求項３に記載の撮像装置。
【請求項６】
前記撮像装置は、前記盗撮防止情報検出部より出力された前記盗撮防止信号に基づいて、盗撮を警告する盗撮防止音声信号を出力する盗撮防止音声信号出力部と、該盗撮防止音声信号を音に変換して出力するスピーカとを有することを特徴とする請求項１に記載の撮像装置。
【請求項７】
前記撮像装置は、前記盗撮防止情報検出部より出力された前記盗撮防止信号に基づいて、盗撮を警告するために特定周波数で発信する発信用盗撮防止信号を発生する発信用盗撮防止信号発生部と、該発信用盗撮防止信号発生部が発生した発信用盗撮防止信号を増幅し、盗撮防止電波として発信するアンテナとを有することを特徴とする請求項１に記載の撮像装置。
【請求項８】
前記撮像装置は、有線または無線の通信手段に対して前記画像信号を送信する機能と前記盗撮防止情報検出部より出力された前記盗撮防止信号に基づいて前記画像信号の送信を切断する機能とを有する送信部を備えることを特徴とする請求項１に記載の撮像装置。
【請求項９】
前記撮像装置は、前記盗撮防止情報検出部より出力された盗撮防止信号と撮像画像より得られる前記画像信号とを多重化する多重化部と、該多重化部により多重化された多重化信号を有線または無線の通信手段に対して送信する送信部とを有することを特徴とする請求項１に記載の撮像装置。
【請求項１０】
請求項９に記載の撮像装置により送信された多重化信号を有線または無線の通信手段を介して受信する受信部と、該受信部にて受信した前記多重化信号から前記盗撮防止信号と前記画像信号とを分離する分離化部と、該分離化部にて分離された前記画像信号により画像を表示する表示部とを有することを特徴とする画像受信装置。
【請求項１１】
前記画像受信装置は、前記分離化部にて分離された前記盗撮防止信号に基づいて、前記表示部の表示機能をオフにする制御を行う表示制御部を有することを特徴とする請求項１０に記載の画像受信装置。
【請求項１２】
前記画像受信装置は、前記分離化部にて分離された前記盗撮防止信号に基づいて、盗撮を警告する盗撮防止画像を出力する盗撮防止画像出力部を有することを特徴とする請求項１０に記載の画像受信装置。
【請求項１３】
前記画像受信装置は、前記分離化部にて分離された前記盗撮防止信号に基づいて、盗撮を警告する盗撮防止音声信号を出力する盗撮防止音声信号出力部と、前記盗撮防止音声信号を音に変換するスピーカとを有することを特徴とする請求項１０に記載の画像受信装置。
【請求項１４】
前記画像受信装置は、前記分離化部にて分離された前記盗撮防止信号に基づいて、盗撮を警告するために特定周波数で発信する発信用盗撮防止信号を出力する発信用盗撮防止信号発生部と、前記発信用盗撮防止信号を増幅し、盗撮防止電波として発信するアンテナとを有することを特徴とする請求項１０に記載の画像受信装置。
【請求項１５】
ＣＣＤカメラ等の撮像手段を備え、盗撮を防止するための機能を有する撮像装置において、該撮像装置は、盗撮防止情報発生装置が発生する予め定められた特徴を有する盗撮防止情報を、撮像画像から得られる画像信号から検出し、前記盗撮防止情報が撮像されていることを示す盗撮防止信号を出力する盗撮防止情報検出部と、有線または無線の通信手段に対して前記盗撮防止信号を送信する送信部を有することを特徴とする撮像装置。
【請求項１６】
有線または無線の通信回線網における回線交換機において、請求項１５に記載の撮像装置より加入者回線を介して送信された前記盗撮防止信号を受信可能な加入者回路を有し、受信した前記盗撮防止信号により盗撮行為を検知することを特徴とする回線交換機。
【請求項１７】
前記加入者回路は、受信した前記盗撮防止信号に基づいて回線接続を切断する機能を有することを特徴とする請求項１６に記載の回線交換機。
【請求項１８】
前記回線交換機は、前記加入者回路にて受信した前記盗撮防止信号に基づく盗撮防止情報の撮像状況を所定の回線監視者に通知する盗撮防止情報通知部を有することを特徴とする請求項１６に記載の回線交換機。
【請求項１９】
前記盗撮防止情報検出部は、前記盗撮防止情報発生装置が発生する特定の色を前記盗撮防止情報とし、該特定の色が前記画像信号に含まれるかどうかを判定し、含まれると判定した場合に前記盗撮防止信号を出力する盗撮防止色判定部を有することを特徴とする請求項１に記載の撮像装置。
【請求項２０】
前記盗撮防止情報検出部は、前記盗撮防止情報発生装置が発生する予め定められた特定の色を前記盗撮防止情報とし、該特定の色が前記画像信号に含まれるかどうかを判定する盗撮防止色判定部と、該盗撮防止色判定部により判定された特定の色の大きさを算出する算出部と、該算出部の結果が所定の条件に該当する場合に、前記盗撮防止信号を出力する盗撮防止情報判定部を有することを特徴とする請求項１に記載の撮像装置。
【請求項２１】
前記盗撮防止情報検出部は、前記盗撮防止情報発生装置が有する形状を前記盗撮防止情報とし、前記画像信号から撮像画像に含まれた前記形状を認識し、認識結果が所定の条件に該当する場合に、前記盗撮防止信号を出力する盗撮防止形状認識部を有することを特徴とする請求項１に記載の撮像装置。
【請求項２２】
前記盗撮防止情報検出部は、前記盗撮防止情報発生装置が有する形状を前記盗撮防止情報とし、前記画像信号から撮像画像に前記形状の部分が含まれているかどうかをそれぞれ異なる部分について認識する複数の盗撮防止形状認識部と、該複数の盗撮防止形状認識部にて認識された形状認識情報に基づいて前記画像信号が前記盗撮防止情報を含むかどうかを判定し、含むと判定した場合に前記盗撮防止信号を出力する盗撮防止情報判定部を有することを特徴とする請求項１に記載の撮像装置。
【請求項２３】
前記盗撮防止情報検出部は、前記盗撮防止情報発生装置が発生する特定の点滅パターンを前記盗撮防止情報とし、前記点滅パターンが前記画像信号に含まれるかどうかを判定し、含むと判定した場合に前記盗撮防止信号を出力する盗撮防止点滅パターン判定部を有することを特徴とする請求項１に記載の撮像装置。
【請求項２４】
前記盗撮防止情報検出部は、前記盗撮防止情報発生装置が発生する特定の点滅パターンを前記盗撮防止情報とし、前記点滅パターンが前記画像信号に含まれるかどうかを判定する盗撮防止点滅パターン判定部と、前記盗撮防止点滅パターン判定手段にて判定された点滅パターンの履歴情報が所定条件に該当する場合に前記盗撮防止信号を出力する盗撮防止情報判定部を有することを特徴とする請求項１に記載の撮像装置。
【発明の詳細な説明】
【０００１】
【発明の属する技術分野】
本発明は、ＣＣＤセンサ等の撮像素子を有する撮像装置と該撮像装置による撮像情報を扱う回線交換器及び画像受信装置に関し、特にこれら装置に付与する盗撮行為を防止する機能の実現手段に関する。
【０００２】
【従来の技術】
ＣＣＤセンサやＣＭＯＳセンサに代表されるような撮像素子を有する撮像装置は、ビデオカメラ、電子スチルカメラ、テレビ電話といった既存の撮像装置を初めとし、近年の半導体における微細加工技術、高密度実装技術の進展につれ撮像素子自体が画像処理のデジタル処理技術化、低価格化、小型化され、ノートパソコン、ＰＤＡ、携帯電話といった従来カメラを有しない電子機器にも搭載されてきている。
【０００３】
これら撮像装置は、利用者の目的に応じて下記の３種類に分類することが出来る。
（Ａ）撮像した画像を記録する機能を有するカメラ付き画像記録装置
（Ｂ）有線による通信手段を有し、撮像した画像を送信する機能を有するカメラ付き有線通信端末
（Ｃ）無線による通信手段を有し、撮像した画像を送信する機能を有するカメラ付き無線通信端末
【０００４】
上記（Ａ）のカメラ付き画像記録装置としては、ビデオカメラ、電子スチルカメラ等の撮像装置が挙げられる。これらのカメラ付き画像記録装置は、通常は利用者が現在見ている情景を記録媒体に記録し、後ほど時間に束縛されることなく何回も見たり、或いは関係者に配布したりすることで、記録された画像情報を活用することができるものである。
【０００５】
上記（Ｂ）のカメラ付き有線通信端末としては、有線ネットワークに接続されたパソコン、もしくはＰＤＡ等にカメラ機能を搭載したものや、テレビ電話などの画像記録装置が挙げられる。これらのカメラ付き有線通信端末は、通常は利用者が遠隔地に居る話者と自画像や記録された静止画像等をやり取りすることで、より自然で情報量豊かなコミュニケーションを実現するために使用される。一方でこれらのカメラ付き有線通信端末は、遠隔地に設置されたカメラ付き有線通信端末から受信される画像を見たり、記録媒体に記録することで、留守中の宅内やビルなどの監視目的に使用されることもある。
【０００６】
上記（Ｃ）のカメラ付き無線通信端末としては、無線ネットワークに接続されたパソコン、ＰＤＡにカメラ機能を搭載したものや、カメラ付き携帯電話などの画像装置が挙げられる。これらのカメラ付き無線通信端末は、カメラ付き有線通信端末とほとんど同様な使われ方が想定される。しかも通信手段が無線であることから、場所にほとんど束縛されない使用が可能となる。
【０００７】
さらに上記した撮像装置は、撮像素子以外の部分においても、部品の小型化、高密度実装により、小型化、携帯性の向上が一層推し進められてきている。しかしこのような技術進歩の背景において利用者の中には、上記のごとくの一般的な利用方法のほかに、盗撮といった目的に使用する者がおり、プライバシーの侵害が社会問題となっている。
【０００８】
（１）カメラ付き画像記録装置については、鞄の中や公共施設内の備品の中などの他人に気づかれにくい場所に忍ばせ、被写体となっている人に気づかれずに撮影することで盗撮が行われる。またカメラ付き画像記録装置の中には、赤外線や電波によりリモートコントロール撮像が可能なカメラ付き画像記録装置があり、このリモートコントロール撮影機能を悪用し、離れた場所からコントロールすることで盗撮するケースもある。
【０００９】
（２）カメラ付き有線通信端末については、有線回線の近くの設置物内に隠して設置することで盗撮が行われる。
（３）カメラ付き無線通信端末に至っては、有線回線が無くとも無線通信における通話エリア内であれば、どこでも盗撮が可能である。
【００１０】
このような問題に対し、従来の赤外線や電波によりリモートコントロール撮像が可能な光学式カメラや電子スチルカメラでは、盗撮行為を防止する一つの方法として、例えば、特開平１０−３１２６５号「盗撮防止装置」に示されているように、リモートコントロールによる撮像機能の悪用によるプライバシーの侵害を防止するという従来技術がある。これはリモートコントロールによる撮像が可能なカメラ本体、若しくは、リモートコントロールによる撮像を可能にするためにカメラに接続されるリモートコントロール信号受信装置の中に、リモートコントロール撮像時には撮像を行う操作者の意志に関わらず、撮像される対象に対して撮像が行われること、もしくは撮像が行われたことを示す警告音を発生する警告音発生部を設けることで、リモートコントロール撮影機能を悪用するような撮影を行おうとしても、警告音が届く範囲で撮影された人が撮影されたことを把握して対処でき、プライバシーの侵害を防止することが可能である。
【００１１】
【発明が解決しようとする課題】
しかしながら、上記公報に開示された技術では、カメラ部をリモート制御するためのリモートコントロール受信装置がない撮像装置の場合、警告音を発生する制御が不可能なため、盗撮行為を防止することは出来ない。また、リモートコントロール受信装置がある画像装置の場合でも、望遠レンズ等を用いてリモートコントロール撮像を行わなければ警告音は発生しないため、同様に盗撮行為を防止することは出来ない。
【００１２】
またカメラ付き通信端末は、上記従来技術で示された一種のリモートコントロール撮像が可能な画像装置と見なすことが出来るが、通常のテレビ電話的な使い方や監視目的に使われている場合と、盗撮目的で使われている場合の区別が付けられないため、常に警告音を発生するすべしかなく、通常の使い方をする利用者にとっては、非常に使いづらいものになってしまう。
【００１３】
またこのようなカメラ付き通信端末においては、一般的な使われ方がされている場合でも、自分が撮影されている旨の表示や通知手段がなかったり、あっても表示や通知手段の機能がオフされていると、自分が撮影されているという認識を持つことが出来ない。また回線接続されているカメラ付き通信端末に近くにいるだけで、自分の意志とは無関係に撮影されてしまい、盗撮ではないが、プライバシーの侵害となってしまう。さらに深刻な問題として、これらの盗撮行為は、盗撮行為が行われている現場に居なくても盗撮が出来てしまうことから、犯罪防止の面から非常に難しい問題となっている。
【００１４】
加えてこれらの問題は、無線通信手段により離れた場所から画像を受信することで盗撮している場合、犯人検挙の面からさらに難しい問題となる。これは無線通信技術の進歩が密接に絡み合ってくる。これまでの盗撮における無線通信手段は、アナログ方式により行われている場合が殆どであり、不法電波の有無を調査したり、通信内容を傍受することで、盗撮行為の発見が比較的容易であった。またアナログ方式による通信距離はそれ程大きくないため、盗撮画像を受信する者はカメラ付き通信端末の比較的近距離にいなくてはならず、犯人検挙も容易であった。
【００１５】
しかしながら、無線通信手段として現状ですでに多く普及している携帯電話のようなデジタル方式による通信技術が用いられた場合、下記のようなさらに深刻な問題が発生し、犯人検挙が難しい問題となっている。
・通信内容はデジタル化されたときに符号化・暗号化されている場合が殆どであり、通信内容の傍受が極めて難しくなる。
・電波自体は公認の電波であり、電波の有無を調査しても無意味である。
・公衆回線網が使用されるため、遠く離れた場所からでも盗撮画像を受信することが出来る。
【００１６】
本発明は、上述のごとき実情に鑑みてなされたものであり、上記課題をまったく異なる方法・手段により解決し、盗撮行為を検出したり、効率的かつ高い信頼性で盗撮行為を防止可能な機能を有する撮像装置、回線交換器及び画像受信装置を提供することを目的とするものである。
【００１７】
【課題を解決するための手段】
第１の技術手段は、ＣＣＤカメラ等の撮像手段を備え、盗撮を防止するための機能を有する撮像装置において、該撮像装置は、盗撮防止情報発生装置が発生する予め定められた特徴を有する盗撮防止情報を、撮像画像から得られる画像信号から検出して前記盗撮防止情報が撮像されていることを示す盗撮防止信号を出力する盗撮防止情報検出部を有することを特徴としたものである。
【００１８】
第２の技術手段は、第１の技術手段において、前記撮像装置が、前記盗撮防止情報検出部より出力された前記盗撮防止信号に基づいて、撮像機能をオフにする制御を行う撮像制御部を有することを特徴としたものである。
【００１９】
第３の技術手段は、第１の技術手段において、前記撮像装置が、前記盗撮防止情報検出部より出力された前記盗撮防止信号に基づいて、盗撮を警告する盗撮防止画像を出力する盗撮防止画像出力部を有することを特徴としたものである。
【００２０】
第４の技術手段は、第３の技術手段において、前記盗撮防止画像出力部が、前記盗撮防止画像を生成する盗撮防止画像生成部と、該盗撮防止画像生成部にて生成された前記盗撮防止画像及び通常の撮像画像のいずれかを前記盗撮防止信号の入力の有無に基づいて切り替えて出力する切替部とを有することを特徴としたものである。
【００２１】
第５の技術手段は、第３の技術手段において、前記盗撮防止画像出力部が、撮像画像に盗撮防止のための画像処理を施して前記盗撮防止画像を生成する盗撮防止画像処理部と、該盗撮防止画像処理部にて生成された前記盗撮防止画像及び通常の撮像画像のいずれかを前記撮像防止信号の入力の有無に基づいて切り替えて出力する切替部を有することを特徴としたものである。
【００２２】
第６の技術手段は、第１の技術手段において、前記撮像装置が、前記盗撮防止情報検出部より出力された前記盗撮防止信号に基づいて、盗撮を警告する盗撮防止音声信号を出力する盗撮防止音声信号出力部と、該盗撮防止音声信号を音に変換して出力するスピーカとを有することを特徴としたものである。
【００２３】
第７の技術手段は、第１の技術手段において、前記撮像装置が、前記盗撮防止情報検出部より出力された前記盗撮防止信号に基づいて、盗撮を警告するために特定周波数で発信する発信用盗撮防止信号を発生する発信用盗撮防止信号発生部と、該発信用盗撮防止信号発生部が発生した発信用盗撮防止信号を増幅し、盗撮防止電波として発信するアンテナとを有することを特徴としたものである。
【００２４】
第８の技術手段は、第１の技術手段において、前記撮像装置が、有線または無線の通信手段に対して前記画像信号を送信する機能と前記盗撮防止情報検出部より出力された前記盗撮防止信号に基づいて前記画像信号の送信を切断する機能とを有する送信部を備えることを特徴としたものである。
【００２５】
第９の技術手段は、第１の技術手段において、前記撮像装置が、前記盗撮防止情報検出部より出力された盗撮防止信号と撮像画像より得られる前記画像信号とを多重化する多重化部と、該多重化部により多重化された多重化信号を有線または無線の通信手段に対して送信する送信部とを有することを特徴としたものである。
【００２６】
第１０の技術手段は、第９の技術手段により送信された多重化信号を有線または無線の通信手段を介して受信する受信部と、該受信部にて受信した前記多重化信号から前記盗撮防止信号と前記画像信号とを分離する分離化部と、該分離化部にて分離された前記画像信号により画像を表示する表示部とを有することを特徴としたものである。
【００２７】
第１１の技術手段は、第１０の技術手段において、前記画像受信装置が、前記分離化部にて分離された前記盗撮防止信号に基づいて、前記表示部の表示機能をオフにする制御を行う表示制御部を有することを特徴としたものである。
【００２８】
第１２の技術手段は、第１０の技術手段において、前記画像受信装置が、前記分離化部にて分離された前記盗撮防止信号に基づいて、盗撮を警告する盗撮防止画像を出力する盗撮防止画像出力部を有することを特徴としたものである。
【００２９】
第１３の技術手段は、第１０の技術手段において、前記画像受信装置が、前記分離化部にて分離された前記盗撮防止信号に基づいて、盗撮を警告する盗撮防止音声信号を出力する盗撮防止音声信号出力部と、前記盗撮防止音声信号を音に変換するスピーカとを有することを特徴としたものである。
【００３０】
第１４の技術手段は、第１０の技術手段において、前記画像受信装置が、前記分離化部にて分離された前記盗撮防止信号に基づいて、盗撮を警告するために特定周波数で発信する発信用盗撮防止信号を出力する発信用盗撮防止信号発生部と、前記発信用盗撮防止信号を増幅し、盗撮防止電波として発信するアンテナとを有することを特徴としたものである。
【００３１】
第１５の技術手段は、ＣＣＤカメラ等の撮像手段を備え、盗撮を防止するための機能を有する撮像装置において、該撮像装置は、盗撮防止情報発生装置が発生する予め定められた特徴を有する盗撮防止情報を、撮像画像から得られる画像信号から検出し、前記盗撮防止情報が撮像されていることを示す盗撮防止信号を出力する盗撮防止情報検出部と、有線または無線の通信手段に対して前記盗撮防止信号を送信する送信部を有することを特徴としたものである。
【００３２】
第１６の技術手段は、有線または無線の通信回線網における回線交換機において、第１５の技術手段より加入者回線を介して送信された前記盗撮防止信号を受信可能な加入者回路を有し、受信した前記盗撮防止信号により盗撮行為を検知することを特徴としたものである。
【００３３】
第１７の技術手段は、第１６の技術手段において、前記加入者回路が、受信した前記盗撮防止信号に基づいて回線接続を切断する機能を有することを特徴としたものである。
【００３４】
第１８の技術手段は、第１６の技術手段において、前記回線交換機が、前記加入者回路にて受信した前記盗撮防止信号に基づく盗撮防止情報の撮像状況を所定の回線監視者に通知する盗撮防止情報通知部を有することを特徴としたものである。
【００３５】
第１９の技術手段は、第１の技術手段において、前記盗撮防止情報検出部が、前記盗撮防止情報発生装置が発生する特定の色を前記盗撮防止情報とし、該特定の色が前記画像信号に含まれるかどうかを判定し、含まれると判定した場合に前記盗撮防止信号を出力する盗撮防止色判定部を有することを特徴としたものである。
【００３６】
第２０の技術手段は、第１の技術手段において、前記盗撮防止情報検出部が、前記盗撮防止情報発生装置が発生する予め定められた特定の色を前記盗撮防止情報とし、該特定の色が前記画像信号に含まれるかどうかを判定する盗撮防止色判定部と、該盗撮防止色判定部により判定された特定の色の大きさを算出する算出部と、該算出部の結果が所定の条件に該当する場合に、前記盗撮防止信号を出力する盗撮防止情報判定部を有することを特徴としたものである。
【００３７】
第２１の技術手段は、第１の技術手段において、前記盗撮防止情報検出部が、前記盗撮防止情報発生装置が有する形状を前記盗撮防止情報とし、前記画像信号から撮像画像に含まれた前記形状を認識し、認識結果が所定の条件に該当する場合に、前記盗撮防止信号を出力する盗撮防止形状認識部を有することを特徴としたものである。
【００３８】
第２２の技術手段は、第１の技術手段において、前記盗撮防止情報検出部が、前記盗撮防止情報発生装置が有する形状を前記盗撮防止情報とし、前記画像信号から撮像画像に前記形状の部分が含まれているかどうかをそれぞれ異なる部分について認識する複数の盗撮防止形状認識部と、該複数の盗撮防止形状認識部にて認識された形状認識情報に基づいて前記画像信号が前記盗撮防止情報を含むかどうかを判定し、含むと判定した場合に前記盗撮防止信号を出力する盗撮防止情報判定部を有することを特徴としたものである。
【００３９】
第２３の技術手段は、第１の技術手段において、前記盗撮防止情報検出部が、前記盗撮防止情報発生装置が発生する特定の点滅パターンを前記盗撮防止情報とし、前記点滅パターンが前記画像信号に含まれるかどうかを判定し、含むと判定した場合に前記盗撮防止信号を出力する盗撮防止点滅パターン判定部を有することを特徴としたものである。
【００４０】
第２４の技術手段は、第１の技術手段において、前記盗撮防止情報検出部が、前記盗撮防止情報発生装置が発生する特定の点滅パターンを前記盗撮防止情報とし、前記点滅パターンが前記画像信号に含まれるかどうかを判定する盗撮防止点滅パターン判定部と、前記盗撮防止点滅パターン判定手段にて判定された点滅パターンの履歴情報が所定条件に該当する場合に前記盗撮防止信号を出力する盗撮防止情報判定部を有することを特徴としたものである。
【００４１】
【発明の実施の形態】
（実施例１）
図１は、本発明の第１の実施例を説明するための図で、図中、１は盗撮されていることに気づいていない被写体、２は被写体１の胸元に装着され、盗撮防止情報を発生している盗撮防止情報発生装置、３は盗撮を行っている撮像装置である。撮像装置３には、被写体を撮像し、撮像した画像をデジタル信号にて出力するカメラセンサ４と、前記デジタル信号を信号処理するデジタル信号処理部５と、デジタル信号処理された画像信号から盗撮防止情報を検出する盗撮防止情報検出部６と、撮像機能をオン・オフ制御可能な撮像制御部７が設けられている。
【００４２】
撮像装置３は、盗撮者が被写体１に気づかれない場所に設置し、被写体１を撮像する。このとき被写体１は、撮像されたくない場所に近い所、例えば顔が撮像されたくない場合は胸元等に盗撮防止情報発生装置２を装着する。盗撮防止情報発生装置２は、色、形状などの特徴を持つ盗撮防止情報を発生しているため、撮像装置３は、盗撮防止情報と一緒に被写体１を撮像することになる。
【００４３】
カメラセンサ４は、被写体から来る可視光線をレンズにより図示しない撮像素子の感光面上に結像する。上記の撮像素子は、２次元配列された光電変換素子により結像された可視光線を電気信号へ適宜変換する。さらにカメラセンサ４は、図示しないＡ／Ｄ変換器により上記の電気信号をデジタル信号に変換し、デジタル信号ａを出力する。デジタル信号処理部５は、デジタル信号ａを入力し、補完処理、色空間変換、露光制御、及びホワイトバランス制御等のデジタル信号処理を施すことで、撮像された画像を高画質化したり、後段の信号処理部にて処理しやすい画像信号ｂに変換する。
【００４４】
盗撮防止情報検出部６は、デジタル信号処理部５にてデジタル信号処理された画像信号ｂの中から盗撮防止情報発生装置２が発生した盗撮防止情報を検出する。盗撮防止情報検出部６は、盗撮防止情報を検出した場合、撮像制御部７に盗撮防止信号ｃを送出する。撮像制御部７は、盗撮防止情報有りという内容の盗撮防止信号ｃを受け取った場合、カメラセンサ４、またはデジタル信号処理部５の電源をオフすることで、デジタル信号処理された画像信号ｂ、つまり撮像された画像信号を後段の信号処理部に出力しなくなる。
【００４５】
本実施例において撮像制御部７は、独立した機能ブロックとして説明したが、カメラセンサ４、またはデジタル信号処理部５に撮像機能をオン・オフしたり、全画面が固定色（例えば、黒）の画像を出力する撮像制御部を有している場合は、盗撮防止情報検出部６から出力される盗撮防止信号ｃをカメラセンサ４、又はデジタル信号処理部５内の撮像制御部に直接入力し、上記と同様にデジタル信号処理された画像信号ｂ、つまり撮像された画像信号を後段の信号処理部に出力しないようにしても良い。
【００４６】
上記実施例の説明において、盗撮防止機能をより有効なものにするため、少なくともデジタル信号処理部５と盗撮防止情報検出部６と撮像制御部７はなるべく１つの電子デバイス内で実現されることが望ましい。これはデジタル信号処理部５と盗撮防止情報検出部６と撮像制御部７が別々の電子デバイスで実現された場合、図１中に示したデジタル信号処理された画像信号ｂ′や、盗撮防止信号ｃの信号線が電子回路基板上に現れるため、多少電子回路の知識を有する者であれば、これらの信号線を切断することで盗撮防止機能を機能しなくなるように改造してしまうからである。
【００４７】
（実施例２）
図２は、本発明の第２の実施例を説明するためのブロック図である。なお、以下の実施例の説明において、前述の実施例と同様の機能を有する部分については、同じ番号を付し、その繰り返しの説明を省略する。
【００４８】
上記の第１の実施例における画像装置の構成と異なる点は、撮像制御部７が無くなり、盗撮防止画像出力部８が追加されたことである。図３は、上記盗撮防止画像出力部８の内部における詳細構成を示した図であり、該盗撮防止画像出力部８は、盗撮防止用の警告画像を生成する盗撮防止画像生成部９と、切替部１０により構成される。
【００４９】
上記の第１の実施例における画像装置の動作と異なる点を以下に記す。盗撮防止情報検出部６は、盗撮防止情報を検出した場合、盗撮防止画像出力部８内の切替部１０へ盗撮防止信号ｃを送出する。切替部１０は、盗撮防止情報無しという内容の盗撮防止信号ｃを受け取った場合、Ａ側を選択することにより、画像信号ｂを後段の信号処理部へ出力する。一方、切替部１０が盗撮防止情報有りという内容の盗撮防止信号ｃを受け取った場合、Ｂ側を選択することにより、盗撮防止画像生成部９にて生成された盗撮防止用の警告画像信号ｄを後段の信号処理部へ出力する。盗撮防止画像生成部９にて生成される盗撮防止用の警告画像信号ｄは、例えば、真っ黒な画像であったり、「盗聴防止信号が検出されました」といった警告文字を含んだ画像でも良い。
【００５０】
本実施例の構成において、盗撮防止機能をより有効なものにするため、少なくともデジタル信号処理部５と盗撮防止情報検出部６と盗撮防止画像出力部８はなるべく１つの電子デバイス内で実現されることが望ましい。これはデジタル信号処理部５と盗撮防止情報検出部６と盗撮防止画像出力部８が別々の電子デバイスで実現された場合、図２に示したデジタル信号処理された画像信号ｂ′や、盗撮防止信号ｃの信号線が電子回路基板上に現れるため、多少電子回路の知識を有する者であれば、これらの信号線を切断することで盗撮防止機能を機能しなくなるように改造してしまうからである。
【００５１】
（実施例３）
図４は、本発明の第３の実施例を説明するためのブロック図で、図２における盗撮防止画像出力部の構成を示す図である。第２の実施例における盗撮防止画像出力部（図３）の構成と異なる点は、盗撮防止画像生成部９の代わりに、盗撮防止のための画像処理を行う盗撮防止画像処理部１１が設けられたことである。
【００５２】
第２の実施例における画像装置の動作と異なる点を以下に記す。盗撮防止情報検出部６は、盗撮防止情報を検出した場合、盗撮防止画像出力部８内の切替部１０へ盗撮防止信号ｃを送出する。切替部１０は、盗撮防止情報無しという内容の盗撮防止信号ｃを受け取った場合、Ａ側を選択することにより、画像信号ｂを後段の信号処理部へ出力する。一方、切替部１０が盗撮防止情報有りという内容の盗撮防止信号ｃを受け取った場合、Ｂ側を選択することにより、盗撮防止画像処理部１１から出力される盗撮防止のための画像処理を行った盗撮防止画像信号ｅを後段の信号処理部へ出力する。
【００５３】
上記の盗撮防止のための画像処理は、デジタル信号処理部５にてデジタル処理された画像信号ｂを入力し、その画像信号に対し、例えばモザイク画像処理等を行うことで、情報量を減少させたり、見えにくくする等の画像処理を行う。モザイク画像処理は、例えば８×８画素で構成される画素ブロックの画素を、代表画素、或いは平均画素で置き換えることにより、解像度を著しく劣化させる画像処理である。モザイク画像処理自体は、公知の技術であり、その詳細説明はここでは省略する。これにより盗撮防止情報検出部６が盗撮防止情報を検出した場合、盗撮防止画像出力部８は情報量が減少された、或いは見えにくくされた画像を後段の信号処理部へ出力する。
【００５４】
（実施例４）
図５は、本発明の第４の実施例を説明するための図である。第１の実施例の構成（図１）と異なる点は、撮像制御部７が無くなり、盗撮防止音声信号を出力する盗撮防止音声信号出力部１２と、スピーカ１３が追加されたことである。
【００５５】
第１の実施例における画像装置の動作と異なる点を以下に記す。盗撮防止情報検出部６は、盗撮防止情報を検出した場合、盗撮防止音声信号出力部１２へ盗撮防止信号ｃを送出する。盗撮防止音声信号出力部１２は、盗撮防止情報有りという内容の盗撮防止信号ｃを受け取った場合、「ピー」といった音声、或いは「撮影しました。」や「撮影中です。」といった音声の盗撮防止音声信号ｆを発生する。スピーカ１３は、盗撮防止音声信号出力部１２から出力された盗撮防止音声信号ｆを音に変換し、被写体１や画像装置の周辺にいる人に聞こえるよう、音声を出力する。
【００５６】
上記実施例の説明において、盗撮防止機能をより有効なものにするため、少なくともデジタル信号処理部５と盗撮防止情報検出部６と盗撮防止音声出力部１２はなるべく１つの電子デバイス内で実現されることが望ましい。これはデジタル信号処理部５と盗撮防止情報検出部６と盗撮防止音声信号出力部１２が別々の電子デバイスで実現された場合、図５に示したデジタル信号処理された画像信号ｂ′や、盗撮防止信号ｃの信号線が電子回路基板上に現れるため、多少電子回路の知識を有する者であれば、これらの信号線を切断することで盗撮防止機能を機能しなくなるように改造してしまうからである。
【００５７】
しかし、上述したごとくにデジタル信号処理部５と盗撮防止情報検出部６と盗撮防止音声信号出力部１２を１つの電子デバイスで実現したとしても、スピーカ１３を含めて一つの電子デバイスで実現しない限り、盗撮防止音声信号ｆの信号線が電子回路基板上に現れるため、この信号線を切断することで盗撮防止機能が働かなくなるように改造されてしまう可能性がある。本発明を実現する際の技術においてスピーカ機能を搭載する電子デバイスの実現が困難な場合は、例えば、多層配線基板の内層に盗撮防止音声信号ｆを配線するなどの工夫が必要である。
【００５８】
（実施例５）
図６は、本発明の第５の実施例を説明するための図である。第１の実施例の構成（図１）と異なる点は、撮像制御部７が無くなり、撮像装置３において盗撮防止信号を発生する盗撮防止信号発生部１４と、発信用盗撮防止信号を盗撮防止電波として発信するアンテナ１５が設けられたことである。また、被写体１は、盗撮防止電波を検出可能な盗撮防止電波検出装置１６を保持している点が、第１の発明に係る実施例の構成と異なる。
【００５９】
第１の実施例における画像装置の動作と異なる点を以下に記す。盗撮防止情報検出部６は、盗撮防止情報を検出した場合、発信用盗撮防止信号発生部１４へ盗撮防止信号ｃを送出する。発信用盗撮防止信号発生部１４は、盗撮防止情報有りという内容の盗撮防止信号ｃを受け取った場合、盗撮防止を意味するある特定の周波数で発信する盗撮防止信号（増幅出力用盗撮防止信号）ｇを発生する。アンテナ１５は、発信用盗撮防止信号発生部１４から出力された盗撮防止信号ｇを盗撮防止電波として撮像装置３の周辺に発信する。被写体１が有している盗撮防止電波検出装置１６は、撮像装置３から発信された盗撮防止電波を受信することで、盗撮防止電波の有無を盗撮防止電波検出装置１６の図示しない表示部にて警告表示したり、盗撮防止電波検出装置１６の図示しない音声出力部にて警告音を発生したりする。これにより被写体１は、盗撮防止情報発生装置２が撮像されたことで盗撮防止電波を発信している撮像装置が近くにあることを知ることが可能となる。
【００６０】
上記実施例の説明において、盗撮防止機能をより有効なものにするため、少なくともデジタル信号処理部５と盗撮防止情報検出部６と発信用盗撮防止信号発生部１４はなるべく１つの電子デバイス内で実現されることが望ましい。これはデジタル信号処理部５と盗撮防止情報検出部６と発信用盗撮防止信号発生部１４とが別々の電子デバイスで実現された場合、図６に示したデジタル信号処理された画像信号ｂ′や、盗撮防止信号ｃの信号線が電子回路基板上に現れるため、多少電子回路の知識を有する者であれば、これらの信号線を切断することで盗撮防止機能を機能しなくなるように改造してしまうからである。
【００６１】
しかし、上記のとおりデジタル信号処理部５と盗撮防止情報検出部６と発信用盗撮防止信号発生部１４とを１つの電子デバイスで実現したとしても、アンテナ１５をも含めて一つの電子デバイスで実現しない限り、盗撮防止信号ｇの信号線が電子回路基板上に現れるため、この信号線を切断することで盗撮防止機能が働かなくなるように改造されてしまう可能性がある。実現する際の技術においてアンテナ機能を搭載する電子デバイスの実現が困難な場合は、例えば、多層配線基板の内層に盗撮防止信号ｇを配線するなどの工夫が必要である。
【００６２】
（実施例６）
図７は、本発明の第６の実施例を説明するための図である。第１の実施例の構成（図１）と異なる点は、撮像装置３において撮像制御部７が無くなり、有線または無線の通信手段により後述する画像受信装置に画像情報を表す画像信号を送信可能な送信部１７が設けられたことと、有線または無線の通信手段を介し、撮像装置３から送信された画像信号を受信可能な画像受信装置１９が追加されたことである。画像受信装置１９は、図７に示すとおり、有線または無線の通信手段により撮像装置３から送信された画像信号を受信可能な受信部２０と、その受信部２０が受信した画像信号を表示可能な表示部２１とにより構成される。また図７における２２は、画像受信装置１９の表示部２１に表示される盗撮画像を見ている盗撮者で、１８は、撮像装置３と画像受信装置１９における通信手段において、既存の通信回線を用いる場合に経由する通信回線網である。撮像装置３と画像受信装置１９で用いられる通信手段において、既存の通信回線を用いない場合、通信回線網１８は介さずに撮像装置３と画像受信装置１９とが通信される。
【００６３】
まず撮像装置３において盗撮防止情報を検出しない場合における動作を説明する。送信部１７は、盗撮防止情報検出部６において盗撮防止情報を検出しない場合、デジタル信号処理部５から出力される画像信号ｂを通信手段のインターフェイスに合わせて便宜変換し、有線または無線の通信手段により画像信号を送信する。撮像装置３における通信手段が既存の通信回線を用いる場合、送信された画像信号は、加入者線である通信路ｈと、通信回線網１８を介し、画像受信装置１９にて受信される。撮像装置３における通信手段が既存の通信回線を用いない場合、送信された画像信号は、通信手段が有線の時は通信ケーブル、通信手段が無線の時は電波である通信路ｈを介し、画像受信装置１９にて受信される。
【００６４】
画像受信装置１９内の受信部２０は、有線または無線の通信手段により撮像装置３から送信された画像信号を受信し、画像信号ｉとして出力する。表示部２１は、画像信号ｉにより液晶ディスプレイ等により表示される盗撮画像を見ることが可能となる。
【００６５】
次に撮像装置３において盗撮防止情報を検出した場合における動作を説明する。送信部１７は、盗撮防止情報有りという内容の盗撮防止信号ｃを受け取る。そのときの撮像装置３が通信中の場合、送信部１７は、現在の通信を切断する。撮像装置３が通信中でない場合や通信を切断した後の状態の場合、盗撮防止信号ｃを受け取った時点から一切の送信機能が動作しないようにし、撮像装置３が有する図示しないリセットスイッチや電源スイッチなどの操作手段により初期状態に一度戻さない限り、送信部１７の送信機能が作動しないようにする。
【００６６】
画像受信装置１９内の受信部２０は、撮像装置３が画像信号を送信しなくなるために画像情報を受信出来ず、画像信号ｉを出力しない。よって表示部２１は、画像信号ｉを得ることが出来ないため画像情報を表示することが出来ない。これにより、撮像装置３は盗撮防止情報を検出した時点から、画像信号を一切送信しなくなり画像受信装置１９へ画像情報が送信されなくなるため、画像受信装置１９は盗撮画像を表示できなくなり、盗撮者２２は、盗撮画像を見ることが不可能となる。
【００６７】
上記実施例の説明において、盗撮防止機能をより有効なものにするため、少なくとも盗撮防止情報検出部６と送信部１７はなるべく１つの電子デバイス内で実現されることが望ましい。これは盗撮防止情報検出部６と送信部１７が別々の電子デバイスで実現された場合、図７に示した盗撮防止信号ｃの信号線が電子回路基板上に現れるため、多少電子回路の知識を有する者であれば、これらの信号線を切断することで盗撮防止機能が働かなくなるように改造してしまうからである。
【００６８】
（実施例７）
図８は、本発明の第７の実施例を説明するための図である。第１の実施例における撮像装置の構成と異なる点は、デジタル信号処理された画像信号ｂと盗撮防止信号ｃを多重化する多重化部２３と、有線または無線の通信手段により後述する画像受信装置に多重化情報を送信可能な送信部１７が追加されたことである。また図８において、１９は、有線または無線の通信手段を介し、撮像装置３から送信された多重化画像情報を受信可能な画像受信装置である。画像受信装置１９は、図８に示すとおり、有線または無線の通信手段により撮像装置３から送信された多重化情報を受信可能な受信部２０と、受信した多重化情報を画像信号ｉと盗撮防止信号ｌに分離する分離化部２４と、画像信号ｉによる画像を表示可能な表示部２１と、表示機能をオン・オフ制御可能な表示制御部２５により構成される。また図８における２２は画像受信装置１９の表示部２１に表示される盗撮画像を見ている盗撮者で、１８は撮像装置３と画像受信装置１９との通信手段において、既存の通信回線を用いる場合に経由する通信回線網である。撮像装置３と画像受信装置１９で用いられる通信手段において、既存の通信回線を用いない場合、図８中の通信回線網１８は介さずに撮像装置３と画像受信装置１９とが通信される。
【００６９】
まず撮像装置３において盗撮防止情報を検出しない場合における動作を説明する。多重化部２３は、盗撮防止情報検出部６において盗撮防止情報を検出しない場合、デジタル信号処理部５から出力される画像信号ｂと盗撮防止情報無しという内容の盗撮防止信号ｃを多重化し、多重化信号ｊを出力する。送信部１７は、また多重化信号ｊを通信手段のインターフェイスに合わせて便宜変換し、有線または無線の通信手段により多重化情報を送信する。撮像装置３における通信手段が既存の通信回線を用いる場合、送信された多重化情報は、加入者線である通信路ｈと、通信回線網１８を介し、画像受信装置１９にて受信される。撮像装置３における通信手段が既存の通信回線を用いない場合、送信された多重化情報は、通信手段が有線の時は通信ケーブル、通信手段が無線の時は電波である通信路ｈを介し、画像受信装置１９にて受信される。
【００７０】
画像受信装置１９内の受信部２０は、有線または無線の通信手段により撮像装置３から送信された画像情報を受信し、多重化信号ｋを出力する。分離化部２４は、前記多重化信号ｋを画像信号ｉと盗撮防止信号ｌとに分離し、画像信号ｉ、及び盗撮防止信号ｌを出力する。盗撮防止信号ｌは、画像受信装置１９内の表示制御部２５へ出力される。このとき盗撮防止信号ｌは盗撮防止情報無しという内容の盗撮防止信号であるため、画像受信装置１９内の表示制御部２５は、撮像装置３において盗撮防止情報が検出されていないことを知る。
【００７１】
次に撮像装置３において盗撮防止情報を検出した場合における動作を説明する。多重化部２３は、盗撮防止情報検出部６において盗撮防止情報を検出した場合、デジタル信号処理部５から出力される画像信号ｂと盗撮防止情報有りという内容の盗撮防止信号ｃを多重化し、多重化信号ｊを出力する。以降の動作は、上述の画像受信装置１９内の分離化部２４の動作まで同一であるため、その説明は省略する。
【００７２】
分離化部２４にて分離された盗撮防止信号ｌは、表示制御部２５へ出力される。表示制御部２５は、盗撮防止信号ｌが盗撮防止情報有りという内容の盗撮防止信号であるため、表示部２１の電源をオフすることで、分離化部２４にて分離された画像信号ｉを表示しない。このように画像信号装置１９は、撮像装置３において盗撮防止情報が検出されたことを知ることが可能となり、画像情報を表示しないことで、盗撮者２２は盗撮画像を見ることが不可能となる。
【００７３】
本実施例において表示制御部２５は、独立した機能ブロックとして説明したが、表示部２１に表示機能をオン・オフしたり、分離化部２４において全画面が固定色（例えば、黒）の画像として画像信号ｉを出力する機能を有している場合は、分離化部２４から出力される盗撮防止信号ｌを表示部２１に直接入力し、上記と同様に画像信号ｉを表示しないようにしても良い。
【００７４】
上記実施例の説明において、盗撮防止機能をより有効なものにするため、少なくとも盗撮防止情報検出部６と多重化部２３、及び分離化部２４と表示制御部２５はなるべく１つの電子デバイス内で実現されることが望ましい。これは盗撮防止情報検出部６と多重化部２３、及び分離化部２４と表示制御部２５が別々の電子デバイスで実現された場合、図８に示した盗撮防止信号ｃと盗撮防止信号ｌの信号線が電子回路基板上に現れるため、多少電子回路の知識を有する者であれば、これらの信号線を切断することで盗撮防止機能が働かなくなるように改造してしまうからである。
【００７５】
（実施例８）
図９は、本発明の第８の実施例を説明するための図である。上記第７の実施例における画像受信装置の構成と異なる点は、画像信号装置１９における表示制御部２５が無くなり、盗撮防止画像出力部８が設けられたことである。盗撮防止画像出力部８の内部における詳細構成は、第２、及び第３の実施例における盗撮防止画像出力部８と同じであり、画像信号ｂを画像信号ｉに、盗撮防止信号ｃを盗撮防止信号ｌに置き換えることで、図３、及び図４をそのまま適用できる。
【００７６】
第７の実施例における画像受信装置の動作と異なる点を下記に示す。分離化部２４にて分離された盗撮防止信号ｌは、盗撮防止画像出力部８へ出力される。盗撮防止画像出力部８は、盗撮防止信号ｌが盗撮防止情報有りという内容の盗撮防止信号である場合、盗撮防止画像出力部８にて生成された盗撮防止警告画像信号ｍを表示部２１へ出力する。盗撮防止警告画像信号ｍは、第２の実施例における盗撮防止画像出力部８と同じである場合（図３の詳細構成図が適用される場合）、例えば真っ黒な画像であったり、「盗撮防止信号が検出されました」といった警告文字を含んだ盗撮防止画像になり、また第３の実施例における盗撮防止画像出力部８と同じである場合（図４の詳細構成図が適用される場合）、盗撮防止のための画像処理、例えばモザイク画像処理を施した盗撮防止画像になる。
【００７７】
上記実施例の説明において、盗撮防止機能をより有効なものにするため、少なくとも分離化部２４と盗撮防止画像出力部８はなるべく１つの電子デバイス内で実現されることが望ましい。これは分離化部２４と盗撮防止画像出力部８が別々の電子デバイスで実現された場合、図９に示した盗撮防止信号ｌの信号線が電子回路基板上に現れるため、多少電子回路の知識を有する者であれば、これらの信号線を切断することで盗撮防止機能が働かなくなるように改造してしまうからである。
【００７８】
（実施例９）
図１０は、本発明の第９の実施例における画像受信装置を説明するための図である。第７の実施例における画像受信装置の構成と異なる点は、盗撮防止音声信号を出力する盗撮防止音声信号出力部１２と、スピーカ１３が設けられたことである。
【００７９】
第７の実施例における画像受信装置の動作と異なる点を下記に示す。分離化部２４にて分離された盗撮防止信号ｌは、盗撮防止音声信号出力部１２へ出力される。盗撮防止音声信号出力部１２は、盗撮防止信号ｌが盗撮防止情報有りという内容の盗撮防止信号である場合、「ピー」といった音声、或いは「あなたは今盗撮しています」や「盗撮防止信号を検出しました。」といった音声の盗撮防止音声信号ｆを出力する。スピーカ１３は、盗撮防止音声信号出力部１２から出力された盗撮防止音声信号ｆを音に変換し、盗撮者２２や画像受信装置の周辺にいる人に聞こえるよう、音声を出力する。
【００８０】
盗撮防止機能をより有効なものにするため、盗撮防止音声信号出力部１２は、撮像装置３が有する図示しないリセットスイッチや電源スイッチ等の操作手段により初期状態に一度戻さない限り、盗撮防止音声信号ｆを出力し続けるようにすることが望ましい。
【００８１】
上記実施例の説明において、盗撮防止機能をより有効なものにするため、少なくとも分離化部２４と盗撮防止音声信号出力部１２はなるべく１つの電子デバイス内で実現されることが望ましい。これは分離化部２４と盗撮防止音声信号出力部１２が別々の電子デバイスで実現された場合、図１０に示した盗撮防止信号ｌの信号線が電子回路基板上に現れるため、多少電子回路の知識を有する者であれば、これらの信号線を切断することで盗撮防止機能が働かなくなるように改造してしまうからである。
【００８２】
しかし、上記のとおり分離化部２４と盗撮防止音声信号出力部１２を１つの電子デバイスで実現したとしても、スピーカ１３をも含めて一つの電子デバイスで実現しない限り、盗撮防止音声信号ｆの信号線が電子回路基板上に現れるため、この信号線を切断することで盗撮防止機能が働かなくなるように改造してしまう可能性がある。実現する際の技術においてスピーカ機能を搭載する電子デバイスの実現が困難な場合は、例えば、多層配線基板の内層に盗撮防止音声信号ｆの信号線を配線するなどの工夫が必要である。
【００８３】
（実施例１０）
図１１は、本発明の第１０の実施例を説明するための図である。第７の実施例の構成と異なる点は、画像受信装置１９において発信用の盗撮防止信号を発生する発信用盗撮防止信号発生部１４と、その盗撮防止信号を盗撮防止電波として発信するアンテナ１５が設けられたことである。また図１１において、２６は上記の盗撮防止電波を受信可能な盗撮防止電波検出装置１６を有している警察等の犯罪捜査機関である。
【００８４】
第７の実施例における画像受信装置の動作と異なる点を下記に示す。分離化部２４にて分離された盗撮防止信号ｌは、発信用盗撮防止信号発生部１４へ出力される。発信用盗撮防止信号発生部１４は、盗撮防止信号ｌが盗撮防止情報有りという内容の盗撮防止信号である場合、盗撮防止を意味するある特定の周波数で発信する盗撮防止信号ｇを発生する。アンテナ１５は、発信用盗撮防止信号発生部１４から出力された盗撮防止信号ｇを盗撮防止電波として画像受信装置１９の周辺に発信する。犯罪捜査機関２６が有している盗撮防止電波検出装置１６は、画像装置から発信された盗撮防止電波を受信することで、盗撮防止電波の有無を図示しない盗撮防止電波検出装置１６の表示部にて警告表示したり、盗撮防止電波検出装置１６の音声出力部にて警告音を発生したりする。これにより犯罪捜査機関２６は、盗撮行為が行われることで盗撮防止電波を受信している画像受信装置１９、及び盗撮者２２が近くに存在していることを知らせることが可能となる。
【００８５】
上記実施例の説明において、盗撮防止機能をより有効なものにするため、少なくとも分離化部２４と発信用盗撮防止信号発生部１４はなるべく１つの電子デバイス内で実現されることが望ましい。これは分離化部２４と盗撮防止信号発生部１４が別々の電子デバイスで実現された場合、図１１に示した分離化部２４と盗撮防止信号ｌの信号線が電子回路基板上に現れるため、多少電子回路の知識を有する者であれば、これらの信号線を切断することで盗撮防止機能が働かなくなるように改造してしまうからである。
【００８６】
しかし、上記のとおり分離化部２４と発信用盗撮防止信号発生部１４を１つの電子デバイスで実現したとしても、アンテナ１５をも含めて一つの電子デバイスで実現しない限り、盗撮防止信号ｇの信号線が電子回路基板上に現れるため、この信号線を切断することで盗撮防止機能が働かなくなるように改造してしまう可能性がある。実現する際の技術においてアンテナ機能を搭載する電子デバイスの実現が困難な場合は、例えば、多層配線基板の内層に盗撮防止信号ｇの信号線を配線するなどの工夫が必要である。
【００８７】
（実施例１１）
図１２は本発明の第１１の実施例を説明するための図である。図１２において、１は盗撮されていることに気づいていない被写体、２は盗撮防止情報を発生している盗撮防止情報発生装置、３は盗撮を行っている撮像装置、１８は撮像装置３と後述する画像受信装置１９における通信手段において既存の通信回線を用いる場合に経由する通信回線網、１９は撮像装置３から送信された画像信号を受信可能な画像受信装置、２２は画像受信装置１９が受信する盗撮画像を見ている盗撮者である。
【００８８】
撮像装置３は、被写体１を撮像し、撮像した画像をデジタル信号にて出力するカメラセンサ４と、上記のデジタル信号を信号処理するデジタル信号処理部５と、デジタル信号処理された画像信号から盗撮防止情報を検出する盗撮防止情報検出部６と、盗撮防止情報検出部６から得られる盗撮防止信号を送信可能な盗撮防止情報送信機能付き送信部３２とにより構成される。また画像受信装置１９は、有線または無線の通信手段により撮像装置３から送信された画像信号を受信可能な受信部２０と、受信した画像信号による画像情報を表示可能な表示部２１により構成される。
【００８９】
図１３は、主に図１２における通信回線網１８の詳細構成を概略的に示した図である。通信回線網１８は、無線の通信手段を有する撮像装置３からの画像信号を受信したり、無線の通信手段を有する画像受信装置１９に画像信号を送信可能な基地局２９と、後述する被害者宅、或いは後述する盗撮者宅と後述する通信回線網１８とを接続する通信路ｈ、或いは前記基地局２９からの回線ｏと、後述する公衆回線網とを接続する専用線ｎの回線交換を行う交換局３０と、前記交換局３０同士を専用線ｎで接続する公衆回線網３１により構成される。なお図１３には、図１２と同様の被写体１、盗撮防止情報発生装置２、撮像装置３、画像受信装置１９、及び盗撮者２２が図示されており、２７は盗撮を行っている撮像装置３が設置された被害者宅、２８は盗撮者２２が居る盗撮者宅である。
【００９０】
図１４は、図１３における交換局３０の詳細構成を示した図で、図中、３３は交換局３０内にある回線交換機である。この回線交換機３３は、盗撮防止信号を受信可能な盗撮防止信号受信機能付き加入者回路３４と、各盗撮防止信号受信機能付き加入者回路３４と公衆線網３１が接続される通信路ｐの切り替えを行う通話路スイッチ３５と、各盗撮防止信号受信機能付き加入者回路３４からの回線接続又は開放要求を受け、通話路スイッチ３５の制御を行う中央制御装置３６とにより構成される。
【００９１】
図１２において、盗撮防止情報検出部６にて盗撮防止情報が検出されるまでの動作は、第１の発明に係る実施例で説明した動作と同じであるため、その動作までの説明は省略し、まず、撮像装置３において盗撮防止信号を検出しない場合における動作を説明する。盗撮防止信号送信機能付き送信部３２は、デジタル信号処理部５から出力される画像信号ｂを通信手段のインターフェイスに合わせて便宜変換し、有線または無線の通信手段により画像信号を送信する。ここで盗撮防止信号送信機能付き送信部３２は盗撮防止信号を送信する機能を有しているが、盗撮防止情報検出部６において盗撮防止情報が検出されない場合、盗撮防止情報検出部６により盗撮防止情報有りという内容の盗撮防止信号ｃが出力されないため、盗撮防止信号を送信しない。
【００９２】
図１３において上記のごとくに送信された画像信号は、加入者線である通信路ｈを介し、通信回線網１８における交換局３０ａへ送られる。この交換局３０ａから送られた画像信号は、さらに交換局３０ａ内の回線交換機へ送られる。
【００９３】
図１３及び図１４において、加入者線である通信路ｈは、交換局３０ａにおける回線交換機３３内の盗撮防止信号受信機能付き加入者回路３４に接続されているため、上記の送信された画像信号は盗撮防止信号受信機能付き加入者回路３４へ送られる。盗撮防止信号受信機能付き加入者回路３４は、撮像装置３の盗撮防止信号送信機能付き送信部３２との呼制御により回線接続要求を受け取り、中央制御装置３６に通知する。中央制御装置３６は、盗撮防止信号送信機能付き送信部３２からの回線接続要求を受け、通話路スイッチ３５を切り替えることにより、通信先である画像受信装置１９と加入者線である通信路ｈを介して接続されている交換局３０ｂ内の回線交換機３３に、専用線ｎを介して接続される。
【００９４】
交換局３０ｂにおける回線交換機３３内の中央制御装置３６は、交換局３０ａにおける回線交換機３３からの回線要求を受け、通話路スイッチ３５を切り替えることにより通信先である交換局３０ｂにおける回線交換機３３内の盗撮防止信号受信機能付き加入者回路３４を接続する。盗撮防止信号受信機能付き加入者回路３４は、加入者線である通信路ｈを介して接続されている画像受信装置１９と呼制御により接続し、加入者線である通信路ｈを介し、画像信号が送信される。
【００９５】
また上述の交換局３０ａ、或いは交換局３０ｂ内における回線交換機３３内の盗撮防止信号受信機能付き加入者回路３４は、通信中であるか否かに関わらず、撮像装置３内の盗撮防止信号送信機能付き送信部３２から送信される盗撮防止信号を受信可能であるが、上述の通り撮像装置３は盗撮防止信号を送信しないため、盗撮防止信号は検出されず、盗撮が行われていないことを知る。画像受信装置１９内の受信部２０は、有線または無線の通信手段により撮像装置３から通信回線網１８を介して送信された画像信号を受信し、画像信号ｉとして出力する。表示部２１は、前記画像信号ｉを液晶ディスプレイ等により表示する。
【００９６】
次に撮像装置３において盗撮防止情報を検出した場合における動作を説明する。盗撮防止信号送信機能付き送信部３２は、デジタル信号処理部５から出力される画像信号ｂを通信手段のインターフェイスに合わせて便宜変換し、有線または無線の通信手段により画像信号を送信する。ここで盗撮防止信号送信機能付き送信部３２は、盗撮防止情報検出部６において盗撮防止情報を検出した場合、盗撮防止信号を送信する。送信された盗撮防止信号を撮像装置が通信先である画像受信装置１９に送信するまでの動作は、上述した撮像装置３において盗撮防止情報を検出しない場合における動作と同じであるため、その部分の動作の繰り返しの説明は省略する。
【００９７】
図１３及び図１４において、交換局３０ａ、或いは交換局３０b内における回線交換機３３内の盗撮防止信号受信機能付き加入者回路３４は、通信中であるか否かに関わらず、撮像装置３内の盗撮防止信号送信機能付き送信部３２から送信される盗撮防止信号を受信可能であり、上述の通り撮像装置３は盗撮防止信号を送信するため、盗撮防止信号が受信され、盗撮が行われていることを知る。画像受信装置１９内の受信部２０は、有線または無線の通信手段により撮像装置３から通信回線網１８を介し送信された画像信号を受信し、画像信号ｉとして出力する。表示部２１は、画像信号ｉを液晶ディスプレイ等により表示する。
【００９８】
上記実施例の説明において、盗撮防止信号送信機能付き送信部３２が盗撮防止信号を送信したり、回線交換機３３内の盗撮防止信号受信機能付き加入者回路３４が盗撮防止信号を受信したりする方法として、下記のような例が挙げられる。まず撮像装置３内の盗撮防止信号送信機能付き送信部３２がアナログ回線の場合は、盗撮防止情報を意味するダイアル信号の組み合わせ信号等を盗撮防止信号受信機能付き加入者回路３４に送信し、盗撮防止信号情報受信機能付き加入者回路３４はＤＴＭＦ検出回路等により盗撮防止信号を受信する。また撮像装置３内の盗撮防止信号送信機能付き送信部３２がデジタル回線の場合は、例えばＩＳＤＮ（Integrated Services Digital Network）回線網を仮定した場合、ＩＳＤＮユーザー・網インターフェイス・プロトコルにおける呼制御に関する勧告（CCITT Q.931）に規定されている付加サービスの制御を用いることで、盗撮防止信号送信機能付き送信部３２と盗撮防止信号受信機能付き加入者回路３４とによる盗撮防止信号の送受信が可能となる。
【００９９】
また上記実施例の説明において、盗撮防止機能をより有効なものにするため、少なくとも盗撮防止情報検出部６と盗撮防止信号送信機能付き送信部３２はなるべく１つの電子デバイス内で実現されることが望ましい。これは盗撮防止情報検出部６と盗撮防止信号送信機能付き送信部３２が別々の電子デバイスで実現された場合、図１２に示した盗撮防止信号ｃの信号線が電子回路基板上に現れるため、多少電子回路の知識を有する者であれば、これらの信号線を切断することで盗撮防止機能が働かなくなるように改造してしまうからである。
【０１００】
（実施例１２）
図１５は、本発明の第１２の実施例における回線交換機のブロック図である。第１１の実施例における回線交換機の構成と異なる点は、盗撮防止信号受信機能付き加入者回路３４ではなく、盗撮行為を防止する機能を有する盗撮防止機能付き加入者回路３７が設けられたことである。
【０１０１】
図１２、図１３、及び図１５を用い、第１１の実施例における画像受信装置の動作と異なる点を下記に示す。撮像装置３おいて盗撮防止情報を検出した場合、交換局３０ａ、或いは交換局３０ｂ内における回線交換機３３内の盗撮防止機能付き加入者回路３７は、通信中であるか否かに関わらず、撮像装置３内の盗撮防止信号送信機能付き送信部３２から送信される盗撮防止信号を受信する。前記盗撮防止機能付き加入者回路３７は、通信中である場合、現在の通信を切断する。通信中でなかった場合や通信を切断した後の状態の場合、盗撮防止機能付き加入者回路３７は、盗撮防止信号が受信された時点から通信先への回線接続動作を一切行わないようにしたり、撮像装置３へ逆に盗撮が行われている旨の通告を行ったりする。
【０１０２】
（実施例１３）
図１６は、本発明の第１３の実施例における回線交換機のブロック図である。第１３の実施例における回線交換機の構成と異なる点は、後述する犯罪捜査機関へ盗撮防止情報を通知する盗撮防止情報通知回路３８が追加されたことである。また、図１３における３９は、本実施例に係る警察等の犯罪捜査機関である。
【０１０３】
図１２、図１３、及び図１６を用い、第１３の実施例における画像受信装置の動作と異なる点を下記に示す。撮像装置３において盗撮防止情報を検出した場合、交換局３０ａ、或いは交換局３０ｂ内における回線交換機３３内の盗撮防止信号受信機能付き加入者回路３４は、通信中であるか否かに関わらず、撮像装置３内の盗撮防止信号送信機能付き送信部３２から送信される盗撮防止信号を受信可能であり、上述のとおり撮像装置３は盗撮防止信号を送信するため、盗撮防止信号が受信され、盗撮が行われていることを知る。
【０１０４】
図１３及び図１６において、前記盗撮防止信号受信機能付き加入者回路３４は、回線交換機３３内の中央制御装置３６に盗撮防止信号が受信されたことを伝える。中央制御装置３６は、各盗撮防止信号受信機能付き加入者回路３４からの盗撮防止信号の受信状況情報をまとめ、受信状況情報ｑを盗撮防止情報通知回路３８へ送信する。さらに中央制御装置３６は、通話路スイッチ３５を切り替えることにより、図１３に示す犯罪捜査機関３９と加入者線である通信路ｈを介して接続されている交換局３０ａ内の回線交換機３３に回線接続要求を専用線ｎを介して送信し、交換局３０ａにおける回線交換機３３に回線接続要求を専用線ｎを介して送信し、前記交換局３０ａにおける回線交換機３３内の加入者回路と接続する。前記加入者回路は、加入者線である通信路ｈを介して接続されている犯罪捜査機関３９の図示しない通信装置と呼制御により接続し、加入者線である通信路ｈを介し、受信状況情報ｑが送信される。
【０１０５】
図１６において犯罪捜査機関３９の図示しない通信装置は、図示しない表示装置等に受信状況情報を表示し、犯罪捜査機関３９は、どの加入者回線において盗撮が行われているかを知ることが出来る。
【０１０６】
（実施例１４）
図１７は、本発明の第１４の実施例における盗撮防止情報検出部のブロック図である。図１７において、６は画像信号から盗撮防止情報を検出する盗撮防止情報検出部であり、色差信号における色振幅を算出する色振幅算出部４０と、色差信号における色位相を算出する色位相算出部４１と、入力された色差信号が盗撮防止色であることを判定する盗撮防止色判定部４２により構成される。また、図１における盗撮防止情報発生装置２は、緑色の可視光線を発生している。
【０１０７】
図１、図１７、及び図１８を用いて詳細動作を下記に説明する。一般的に画像をデジタル処理で扱う場合、デジタル信号は輝度信号Ｙおよび２つの色差信号Ｃｂ，Ｃｒの各成分で構成されているコンポーネントデジタル信号として取り扱われる。このコンポーネントデジタル信号において、赤色信号Ｒ、緑色信号Ｇ、青色信号Ｂの３つの原色信号との関係は、次式（１）、（２）、（３）で表される。
【０１０８】
【数１】
0004063463.tif 000002
【０１０９】
ここでデジタル信号処理部５からは、同様に輝度信号Ｙ、色差信号Ｃｂ、Ｃｒの画像信号ｂが出力されている。
【０１１０】
図１８は、色差信号Ｃｂをｘ軸、色差信号Ｃｒをｙ軸とする色座標空間であり、赤色、緑色、青色の３つの原色、及び黄色、マゼンダ色、シアン色の計６色が図示するような位置に表現できる。ここで盗撮防止情報発生装置２が発生する可視光線は緑色であり、その緑色を撮像したときの色差信号Ｃｂ、Ｃｒの値をＣｂ＿ｇｒｅｅｎ、Ｃｒ＿ｇｒｅｅｎとする。よって画像信号ｂの２つの色差信号Ｃｂ、Ｃｒ中に、下記式（４）をみたす色差信号Ｃｂ、Ｃｒを検出することで、盗撮防止情報を意味する緑色の有無を知ることが出来る。
【０１１１】
【数２】
0004063463.tif 000003
【０１１２】
しかし、デジタル信号処理部５から出力される画像信号ｂは、照明光源が持つ色温度特性、カメラセンサ４におけるノイズ、デジタル信号処理部５内でのデジタル信号処理時の演算誤差等により、常に正しい色差信号Ｃｂ、Ｃｒを出力するとは限らない。
【０１１３】
そこで色座標空間の色振幅を｜Ｅｃ｜、Ｃｂ軸の正側を０°とした場合の色位相をθｃとしたとき、下記式（５）、（６）に緑色の色差信号Ｃｂ、Ｃｒの値、（Ｃｂ＿ｇｒｅｅｎ、Ｃｒ＿ｇｒｅｅｎ）を適用し、緑色の色振幅｜Ｅｃ＿ｇｒｅｅｎ|、緑色の色位相θｃ＿ｇｒｅｅｎを算出する。
【０１１４】
【数３】
0004063463.tif 000004
【０１１５】
また、緑色の色振幅｜Ｅｃ＿ｇｒｅｅｎ|を中心値とし、＋αした値を｜Ｅｃ＿ｇｒｅｅｎ＋|、−αした値を｜Ｅｃ＿ｇｒｅｅｎ−|と定義する。同様に、緑色の色位相θｃ＿ｇｒｅｅｎを中心値とし、＋αした値をθｃ＿ｇｒｅｅｎ＋、−αした値をθｃ＿ｇｒｅｅｎ−と定義し、図１８に、上記の緑色の色振幅｜Ｅｃ＿ｇｒｅｅｎ|、｜Ｅｃ＿ｇｒｅｅｎ＋|、｜Ｅｃ＿ｇｒｅｅｎ−|、緑色の色位相θｃ＿ｇｒｅｅｎ、θｃ＿ｇｒｅｅｎ＋、θｃ＿ｇｒｅｅｎ−の関係を図示する。
【０１１６】
図１７において、色振幅算出部４０は、画像信号ｂの２つの色差信号Ｃｂ、Ｃｒを入力し、式（５）により各画素毎の色振幅｜Ｅｃ|を算出する。また色位相算出部４１は、画像信号ｂの２つの色差信号Ｃｂ、Ｃｒを同様に入力し、式（６）により各画素毎の色位相θｃを算出する。盗撮防止色判定部４２は、前記色振幅算出部４０にて算出された色振幅｜Ｅｃ|と前記色位相算出部４１にて算出された色位相θｃにおいて、下記式（７）、（８）を満たすか否かを判定する。
【０１１７】
【数４】
0004063463.tif 000005
【０１１８】
上記式（７）、（８）を満たす場合、盗撮防止色判定部４２は、盗撮防止情報有りという内容の盗撮防止信号ｃを出力する。これにより図１８中に図示したような緑色を包括するある一定範囲内の緑色領域が規定され、その緑領域内に位置する色差信号Ｃｂ、Ｃｒの有無を検出することになるため、ある程度の雑音耐性に優れた盗撮防止情報の検出が可能となる。
【０１１９】
（実施例１５）
図１９は本発明の第１５の実施例における盗撮防止情報検出部のブロック図である。第１４の発明に係る実施例における盗撮防止情報検出部の構成と異なる点は、盗撮防止色判定部４２で判定された盗撮防止色情報を記憶する盗撮防止色情報記憶部４３と、盗撮防止色情報記憶部４３より読み出された盗撮防止色情報から盗撮防止色画素の面積を算出する盗撮防止色面積算出部４４と、盗撮防止色面積算出部４４で算出された盗撮防止色面積情報から盗撮防止情報の有無を判定する盗撮防止情報判定部４５とが追加されたことである。
【０１２０】
図２０は、図１９に示す盗撮防止色情報記憶部４３から読み出される盗撮防止色情報の詳細を説明するための図で、図中、４６は撮像装置３が盗撮防止情報発生装置２を撮像することにより撮像された盗撮防止情報であり、後述する画素との位置関係を示すために図示しているもので、４７は盗撮防止色判定部４２にて盗撮防止色でないと判定された非盗撮防止色画素で、４８は盗撮防止色判定部４２にて盗撮防止色と判定された盗撮防止色画素である。
【０１２１】
図１９、及び図２０を用いて第１４の実施例における盗撮防止情報検出部の動作と異なる点を以下に記す。盗撮防止色判定部４２は、上記の式（７）、（８）を満たす場合、盗撮防止色か否かを判定した結果である盗撮防止色情報ｒを出力する。盗撮防止色情報記憶部４３は、盗撮防止色判定部４２で判定された盗撮防止色情報ｒを画素毎に記憶する。盗撮防止色面積算出部４４は、盗撮防止色情報記憶部４３に記憶された画素毎の盗撮防止色情報ｓを入力する。このときの画素毎の盗撮防止色情報として、例えば図２０に示すような５×５画素で構成される盗撮防止色情報が盗撮防止色情報記憶部４３から読み出されたとする。盗撮防止色面積算出部４４は、盗撮防止色画素４８を入力したとき、入力された盗撮防止色画素４８に隣接する盗撮防止色画素の数を数え、盗撮防止色面積Ａとする。図２０の場合、盗撮防止色画素の数は９個となる。盗撮防止情報判定部４５は、入力された盗撮防止色面積情報から盗撮防止情報の有無を判定する。
【０１２２】
盗撮防止情報判定部４５における盗撮防止情報有無の判定方法としては、下記のような方法が例として挙げられる。盗撮防止色面積Ａが閾値Ａｔｈｌ以下の場合は、盗撮防止情報発生装置２から発生した盗撮防止情報でない画素であるにもかかわらず、カメラセンサのノイズ等により間違って盗撮防止色と判定された画素とする。一方、盗撮防止色面積Ａが閾値Ａｔｈｈ以上の場合は、盗撮防止情報発生装置２から発生した盗撮防止情報でない画素であるにもかかわらず、被写体１や被写体１の背景画像に盗撮防止色に近似した色が存在することにより間違って盗撮防止色と判定された画素とする。よって盗撮防止情報判定部４５は、下記式（９）を満たすか否かを判定することで、盗撮防止色判定部４２で判定された盗撮防止色情報が正しい盗撮防止情報であるか否かを判定する。下記式（９）を満たす場合、盗撮防止情報判定部４５は、盗撮防止情報有りという内容の盗撮防止信号ｃを出力する。
【０１２３】
【数５】
0004063463.tif 000006
【０１２４】
上記実施例の説明において、盗撮防止情報検出部６は盗撮防止情報検出部６内の盗撮防止色面積算出部４４により盗撮防止色画素の面積を算出することで、盗撮防止色判定部４２で判定された盗撮防止色情報の大きさを算出しているが、盗撮防止色面積算出部４４の代わりに、入力された盗撮防止色画素４８に隣接する盗撮防止色画素の縦方向に連続する画素の最大数、横方向に連続する画素の最大数を数えることで、盗撮防止色が有する画素領域を算出する盗撮防止色領域算出部を用いることで、盗撮防止色領域情報を盗撮防止情報判定部４５における盗撮防止情報有無の判定基準として判定する方法を用いても良い。
【０１２５】
（実施例１６）
図２１は本発明の第１６の実施例における盗撮防止情報検出部のブロック図で、図中、６は画像信号から盗撮防止情報を検出する盗撮防止情報検出部であり、輝度信号におけるエッジ情報を抽出するエッジ抽出部４９と、エッジ抽出部４９で抽出されたエッジ情報を記憶するエッジ情報記憶部５０と、エッジ情報記憶部５０から読み出されたエッジ情報から盗撮防止情報の形状を認識する盗撮防止形状認識部５１とが追加されたことである。また、図１における盗撮防止情報発生装置２は、本実施例において、盗撮防止情報発生装置２自身が図２２（Ａ）に示すような「×」の形状になっているものとする。
【０１２６】
図２１、及び図２２を用いて詳細動作を以下に説明する。まず、エッジ抽出部４９は、画像信号ｂ′の輝度信号に対し、エッジ情報を抽出する。本実施例では、エッジ情報を抽出する方法としてSobelオペレータを用いることで、エッジ抽出を実現する。Sobelオペレータでは、図２３に示す注目画素Ｅに対する参照画素Ａ，Ｂ，Ｃ，Ｄ，Ｆ，Ｇ，Ｈ，Ｉを式（１０）に適用することで微分値Ｄｓを求める。
【０１２７】
【数６】
0004063463.tif 000007
【０１２８】
上記Sobelオペレータにより求められた微分値Ｄｓが閾値Ｔｈｖより大きい注目画素Ｅをエッジ画素とする。よって下記式（１１）を満たす注目画素Ｅをエッジ画素とする。
【０１２９】
【数７】
0004063463.tif 000008
【０１３０】
これにより、例えば図２２（Ａ）に示すような「×」の形状をエッジ抽出した場合、エッジ画素を“１”、エッジでない画素を“０”で表記した図２２（Ｂ）に示すような画素構成になる。
【０１３１】
エッジ抽出部４９は、上述のとおりエッジ情報を抽出し、エッジ情報ｔをエッジ情報記憶部５０に出力する。エッジ情報記憶部５０は、エッジ抽出部４９で抽出されたエッジ情報ｔを画素毎に記録する。盗撮防止形状認識部５１は、前記エッジ情報記憶部５０に記憶された画素毎のエッジ情報ｕを入力する。このときの画素毎のエッジ情報としては、例えば図２２（Ｂ）に示すような９×９画素で構成されるエッジ情報がエッジ情報記憶部５０から読み出されたとする。
【０１３２】
盗撮防止形状認識部５１は、例えばテンプレート・マッチング手法により、エッジ情報記憶部５０から読み出された画素毎のエッジ情報ｕと盗撮防止形状認識部５１が有するテンプレートとの各画素毎の類似度を算出する。前記テンプレートとは、例えば、図２２（Ｃ）に示すような９×９画素で構成されるパターンであり、盗撮防止情報の形状のエッジ部分に対し重みが付けられているパターンである。盗撮防止形状認識部５１は、類似度が大であると判定した場合、画素毎のエッジ情報ｕから盗撮防止情報の形状が存在することを認識する。これにより盗撮防止形状認識部５１は、盗撮防止情報の形状が存在することを認識した場合、盗撮防止情報有りという内容の盗撮防止信号ｃを出力する。
【０１３３】
（実施例１７）
図２４は本発明の第１７の実施例における盗撮防止情報検出部のブロック図である。第１６の実施例における盗撮防止情報検出部の構成と異なる点は、盗撮防止形状認識部５１ではなく、複数個の盗撮防止形状認識部により構成されるｎ個の盗撮防止形状認識部５２と、各々の第ｎの盗撮防止形状認識部５２から得られる形状認識情報から盗撮防止情報の有無を判定する盗撮防止情報判定部５３が設けられたことである。
【０１３４】
図２４、及び図２５を用いて第１６の実施例における盗撮防止情報検出部の動作と異なる点を下記に記す。本実施例における盗撮防止情報は、第１６の実施例の盗撮防止情報と同様に図２５（Ａ）に示すような「×」の形状になっているものとする。第ｎの盗撮防止形状認識部５２は、エッジ情報記憶部５０に記憶された画素毎のエッジ情報ｕを入力する。第ｎの盗撮防止形状認識部５２は、例えば復号テンプレート・マッチング手法により、エッジ情報記憶部５０から読み出された画素毎のエッジ情報ｕとそれぞれの第ｎの盗撮防止形状認識部が有する特徴テンプレートとの各画素毎の類似度を算出する。
【０１３５】
上記の特徴テンプレートとは、例えば図２５（Ｂ）に示すような盗撮防止情報の形状における特徴的な形状を有している部分ごとに用意したテンプレートであり、盗撮防止情報における特徴的な形状を有している一部分の形状において、エッジ部分に対し重みが付けられているパターンである。図２５（Ｂ）では４種類の特徴テンプレートが用意されている。各々の第ｎの盗撮防止形状認識部５２は、算出された類似度がある一定値以上の値を示す場合、画素ごとのエッジ情報ｕから特徴テンプレートと同じ形状が存在することを認識し、特徴形状ありという形状認識情報ｖを盗撮防止情報判定部５３に伝える。さらに各々の第ｎの盗撮防止形状認識部５２は、特徴テンプレートと同じ形状が存在することを認識した場合、特徴テンプレートと同じ形状が存在した位置情報を、前記形状認識情報ｖとあわせて盗撮防止情報判定部５３に伝える。
【０１３６】
盗撮防止情報判定部５３は、上記動作が画像全体に行われた後、各々の第ｎの盗撮防止形状認識部５２が認識した数と、認識した形状の位置情報を入力する。認識した数は、例えば図２５に示された盗撮防止情報の形状、及び特徴テンプレートの場合、下記表に示すような認識した数が得られる。
【０１３７】
【表１】
0004063463.tif 000009
【０１３８】
盗撮防止情報判定部５３は、各々の第ｎの盗撮防止形状認識部５２が認識した数と、認識されるべき数の類似度を調べる。また盗撮防止情報判定部５３は、各々の第ｎの盗撮防止形状認識部５２が認識した形状の位置情報と、認識されるべき位置の類似度を調べる。認識されるべき数は、特徴テンプレートが用意された盗撮防止情報における特徴的な形状の数であり、各特徴テンプレートごとに定義される。
【０１３９】
図２５に示された盗撮防止情報の形状、及び特徴テンプレートの場合、認識されるべき数は上記表に示すとおり、全て“３”になる。また認識されるべき位置は、特徴テンプレートが用意された盗撮防止情報における特徴的な形状の位置であり、上記表に示すような位置となる。盗撮防止情報判定部５３は、上記２つの類似度が大であると判定した場合、画像中に盗撮防止情報の形状が存在することを認識する。これにより盗撮防止形状認識部５１は、盗撮防止情報の形状が存在することを認識した場合、盗撮防止情報有りという内容の盗撮防止信号ｃを出力する。
【０１４０】
なお上記の実施例において、第ｎの盗撮防止形状認識部５２は、復号テンプレート・マッチング手法により動作されることを説明したが、例えば第１６の実施例の説明で用いた通常のテンプレート・マッチング手法を用い、大きさを変えたテンプレートを各々の第ｎの盗撮防止形状認識部５２に持たせても良い。用意するテンプレートは、例えば図２６に示された盗撮防止情報の形状、及びテンプレートである。この場合盗撮防止情報が存在することを認識した場合、画像中に盗撮防止情報があるという判定を行う。
【０１４１】
（実施例１８）
図２７は本発明の第１８の実施例における盗撮防止情報検出部のブロック図で、図中、６は画像信号から盗撮防止情報を検出する盗撮防止情報検出部であり、輝度信号を二値化処理する二値化処理部５４と、その二値化処理部５４で二値化処理された二値化情報を後述する第ｎの二値化情報記憶部に振り分けて記憶するようスイッチされる切替部５５と、上記の二値化情報を記憶する第ｎの二値化情報記憶部５６と、各々の第ｎの二値化情報記憶部５６から得られる二値化情報パターンが点滅パターンであることを判定する点滅パターン判定部５７が設けられたことである。
【０１４２】
図２８は、撮像装置にて撮像されている画像の一例を示し、盗撮されていることに気づいていない被写体１と、被写体１の胸元に装着され、盗撮防止情報を発生している盗撮防止情報発生装置２が撮像されている。本実施例では、盗撮防止情報発生装置２は、ある一定の点滅パターンで発行する発光体であるものとする。
【０１４３】
図１、図２７、図２８、及び図２９を用いて詳細動作を説明する。まず二値化処理部５４は、画像信号ｂ′の輝度信号に対し二値化処理を行い、二値化情報ｗを出力する。二値化処理は、ある一定値以上の輝度レベルを有する画素を“１”とし、ある一定値未満の輝度レベルを有する画素を“０”とする処理である。切替部５５は、画像信号における各フレーム毎に切り替えることにより、二値化情報は、第ｎの二値化情報記憶部５６に各フレーム毎に振り分けて記憶される。ここで第ｎの二値化情報記憶部５６は８つあるものとし、ｎ＝８とする。よって第１の二値化情報記憶部５６から第８の二値化情報記憶部５６には、８フレーム分の二値化情報ｗが記憶されることになる。
【０１４４】
図２９は、撮像装置３におけるカメラセンサ４が撮像しているタイミングを示したタイミング・チャートであり、本実施例ではカメラセンサ４は１秒間に３０フレームの画像を撮像しているものとする。その際の撮像周期は、図２９に示すとおり約３３ｍｓになり、以降この撮像周期をＶと表記する。またカメラセンサ４内の撮像素子に露光する時間である撮像期間は、撮像周期の半分、つまり約１６.６ｍｓ（Ｖ／２）とする。また図２９には、盗撮防止情報発生装置２における点灯状態を併記してある。盗撮防止情報発生装置２は、図２９に示すとおり、５Ｖ期間を消灯期間、３Ｖ期間を点滅期間とし、点滅期間中においては点灯・消灯・点灯といった動作を繰り返す。よって盗撮防止情報発生装置２は、８Ｖ期間において２回だけ点灯するパターンで点滅を繰り返すものとする。
【０１４５】
二値化処理部５４は、盗撮防止情報発生装置２が点灯状態である画素を“１”とし、盗撮防止情報発生装置２が消灯状態である画素を“０”として処理された二値化情報ｗを出力する。よって第１の二値化情報記憶部５６から第８の二値化情報記憶部５６における盗撮防止情報発生装置２を二値化処理した記憶部分には、３Ｖ期間の点滅期間を意味する“１０１”の二値化情報を含み、且つ残りの５Ｖ期間の二値化情報は“０”という二値化情報パターンが存在する。点滅パターン判定部５７は、第１の二値化情報記憶部５６から第８の二値化情報記憶部５６までの第ｎの二値化情報記憶部５６から同じ画素位置の二値化情報パターンｘの中に３Ｖ期間の点滅期間を意味する“１０１”の二値化情報が含まれているか否か、つまり点滅パターンであるか否かを判定する。これにより点滅パターン判定部５７は、点滅パターンであると判定した場合に、盗撮防止情報有りという内容の盗撮防止信号ｃ出力する。
【０１４６】
図２９において盗撮防止情報発生装置２における点灯期間の点灯開始タイミングは、カメラセンサ４内の撮像素子に露光する時間である撮像期間の撮像開始タイミングと同じタイミングであるようになっている(図２９中に示したタイミングＴ)が、図３０に示したタイミングＴ′のように、必ずしも上記の点灯開始タイミングと撮像開始タイミングとが同じタイミングになるとは限らない。この場合撮像期間中に盗撮防止情報発生装置２は常に点灯していないことになり、盗撮防止情報発生装置２が点灯しているにも関わらず、二値化処理部５４は盗撮防止情報発生装置２が点灯状態である画素を“１”と二値化処理しない可能性がある。よって盗撮防止情報発生装置２は、１秒おきに例えば１／４周期ずらした点滅パターンで点灯させる等して、なるべく前記点灯開始タイミングと前記撮像開始タイミングとが同じタイミングになるケースが発生するように工夫する必要がある。
【０１４７】
（実施例１９）
図３１は本発明の第１９の実施例における盗撮防止情報検出部を示すブロック図である。第１８の実施例における盗撮防止情報検出部の構成と異なる点は、点滅パターン判定部５７にて点滅パターンであると判定された点滅画素情報の履歴を記憶する点滅画素情報履歴記憶部５８と、その点滅画素情報履歴記憶部５８より得られる点滅画素情報の履歴情報から盗撮防止情報の有無を判定する盗撮防止情報判定部５９が追加されたことである。
【０１４８】
図３１を用いて第１８の実施例における盗撮防止情報検出部６の動きと異なる点を下記に記す。点滅パターン判定部５７は、入力した二値化情報が点滅パターンであると判定した場合、点滅画素であると判定した二値化情報パターンと点滅画素であると判定した画素の位置情報で構成される点滅画素情報ｙを点滅画素情報履歴記憶部５８に出力する。点滅画素情報履歴記憶部５８は、点滅画素であると判定した画素の位置情報の二値化情報パターンの履歴を記憶し、履歴情報ｚを出力する。
【０１４９】
盗撮防止情報判定部５９は、点滅画素情報履歴記憶部５８から出力された履歴情報ｚから、二値化情報パターンの連続性を判定する。連続性の判定としては、例えば同じ二値化情報パターンを５回以上繰り返した履歴情報ｚであるならば、連続性ありと判定する。よって盗撮防止情報判定部５９は、点滅画素であると判定した画素の二値化情報パターンが履歴情報ｚにより連続性ありと判定した場合、その画素を盗撮防止情報と判定し、画像中に盗撮防止情報がありという判定を行う。これにより盗撮防止情報判定部５９は、盗撮防止情報がありという判定を行った場合、盗撮防止情報ありという内容の盗撮防止信号ｃを出力する。
【０１５０】
以上の説明は、本発明の実施例に関するもので、この技術分野の当業者であれば、本発明の種々の変形例や組み合わせ例が考え得るが、それらはいずれも本発明の技術的範囲に包含される。
【０１５１】
【発明の効果】
以上説明したように、本発明の撮像装置は、撮像されたくない被写体に装着、或いは盗撮が行われそうな場所に設置された盗撮防止情報発生装置から発生する盗撮防止情報を撮像することで盗撮防止情報を検出するので、盗撮行為を検出することが可能となる。
また本発明の撮像装置は、検出された盗撮防止情報により、撮像機能のオフ制御を行うので、盗撮者は撮像された画像を見ることができなくなり、盗撮行為を防止することが可能となる。
【０１５２】
また本発明の撮像装置は、検出された盗撮防止情報により、盗撮を警告する盗撮防止画像を生成し、後段の信号処理部へその盗撮防止画像を出力するので、盗撮者は撮像された画像を見ることができなくなり、且つ盗撮者に盗撮行為をやめるよう警告することが可能となり、より効果的な盗撮行為の防止が可能となる。
【０１５３】
また本発明の撮像装置は、検出された盗撮防止情報により、撮像画像に盗撮防止のための画像処理を施し、後段の信号処理部へ得られた盗撮防止画像を出力するので、盗撮者は情報量が減少された、或いは見えにくくされた画像しか見ることができなくなり、盗撮行為の防止が可能となる。
【０１５４】
また本発明の撮像装置は、検出された盗撮防止情報により、盗撮を警告する音声を出力するので、盗撮されている被写体は盗撮を行っている画像装置が近くに存在することを知ることができ、盗撮を行っている画像装置を探し出し、撤去することで盗撮行為の防止が可能となる。また、盗撮を警告する音声を聞いた被写体が警察等の犯罪捜査機関に通報することで、犯罪捜査機関は盗撮犯罪の発見が可能となる。
【０１５５】
また本発明の撮像装置は、検出された盗撮防止情報により、盗撮を防止するための盗撮防止電波を出力するので、盗撮防止電波検出装置を有する被写体は、盗撮を行っている撮像装置が近くに存在することを知ることができ、その撮像装置を探し出して撤去することで盗撮行為の防止が可能となる。また、盗撮防止電波検出装置を有する警察等の犯罪捜査機関が盗撮防止電波を検出することで、盗撮を行っている撮像装置が近くに存在することを検知し、盗撮犯罪の発見が可能となる。さらにまた、犯罪捜査機関が盗撮防止情報発生装置と盗撮防止電波検出装置をもつことにより、盗撮犯罪の発見のための犯罪捜査が可能となる。
【０１５６】
また本発明の撮像装置は、検出された盗撮防止情報により、通信を切断するので、遠隔地にいる盗撮者は撮像された画像を見ることができなくなり、盗撮行為の防止が可能となる。
【０１５７】
また本発明の撮像装置は、検出された盗撮防止情報と画像情報とを多重化することにより、多重化された情報を送信するので、遠隔地にある画像受信装置に盗撮防止情報を通知することが可能となる。また、多重化された情報を受信する本発明の画像受信装置は、受信したデータから盗撮防止情報と画像情報を分離するので、遠隔地にある画像装置における盗撮行為を検出することが可能となる。
さらにまた、多重化された情報を受信する本発明の画像受信装置は、分離された盗撮防止情報により、表示機能のオフ制御を行うので、盗撮者は受信された画像を見ることができなくなり、盗撮行為を防止することが可能となる。
【０１５８】
また本発明の画像受信装置は、分離された盗撮防止情報により、盗撮を防止する画像を出力するので、盗撮者は受信された画像を見ることができなくなり、また情報量を減少した、或いは見えにくくされた画像しか見ることができなくなる。また盗撮者に盗撮行為をやめるよう警告することが可能となり、より効果的な盗撮行為の防止が可能となる。
【０１５９】
また本発明の画像受信装置は、分離された盗撮防止情報により、盗撮防止音声信号を出力するので、盗撮者に盗撮行為をやめるよう警告することが可能となり、より効果的な盗撮行為の防止が可能となる。
【０１６０】
また本発明の画像受信装置は、分離された盗撮防止情報により、盗撮を防止するための撮像防止電波を出力するので、盗撮防止電波検出装置を有する警察等の犯罪捜査機関が盗撮防止電波を検出することで、盗撮を行っている撮像装置と盗撮者が近くに存在することを検知し、盗撮犯罪の発見・盗撮者の検挙が可能となる。
【０１６１】
また本発明の撮像装置は、撮像されたくない被写体に装着、或いは盗撮が行われそうな場所に設置された盗撮防止情報発生装置から発生する盗撮防止情報を撮像することで盗撮防止情報を検出し、その盗撮防止情報を回線交換機に送信するので、交換局内の回線交換機に盗撮防止情報を通知することが可能となる。
また、本発明の回線交換機は、加入者回線から盗撮防止情報を受信するので、送信側の加入者が使用する撮像装置において盗撮が行われていることと、受信側の加入者が使用する画像受信装置において盗撮された画像を見ている盗撮者がいることを検知することが可能となる。
【０１６２】
また本発明の回線交換機は、加入者回路が受信された盗撮防止情報により回線接続を切断するので、盗撮者は受信された画像を見ることができなくなり、盗撮行為を防止することが可能となる。また、盗撮を行っている撮像装置へ逆に盗撮が行われている旨の通告を行ったりすることが可能となる。
【０１６３】
また本発明の回線交換機は、加入者回路にて受信された盗撮防止情報により犯罪捜査機関等の回線監視者に通知するので、回線監視者は送信側の加入者が使用する撮像装置において盗撮が行われていることと、受信側の加入者が使用する画像受信装置において盗撮された画像を見ている盗撮者がいることを察知し、盗撮犯罪の発見・盗撮者の検挙が可能となる。
【０１６４】
また本発明の撮像装置は、盗撮防止情報を検出する手段において、盗撮防止情報発生装置が発生する盗撮防止を意味する特定色を判定するので、盗撮防止を意味する特定色を有する盗撮防止情報発生装置を撮像されたくない被写体に装着、或いは盗撮が行われそうな場所に設置するだけで盗撮行為を検出することが可能となる。
【０１６５】
また本発明の撮像装置は、盗撮防止情報を検出する手段において、盗撮防止情報発生装置が発生する盗撮防止を意味する特定色を判定し、盗撮防止を意味する特定色の大きさにより盗撮防止情報の有無を判定するので、カメラセンサのノイズ等により間違って盗撮防止色と判定されたり、被写体や被写体の背景に盗撮防止色に近似した色が存在することにより間違って盗撮防止色と判定されたりすることがなくなり、また撮像された盗撮防止情報の大きさを程度限定することとなるため、より精度の高い盗撮防止情報の有無の判定が可能となる。
【０１６６】
また本発明の撮像装置は、盗撮防止情報を検出する手段において、盗撮防止情報発生装置自身が有する盗撮防止を意味する形状を認識するので、その盗撮防止情報発生装置を撮像されたくない被写体に装着、或いは盗撮が行われそうな場所に設置するだけで盗撮行為を検出することが可能となる。
【０１６７】
また本発明の撮像装置は、盗撮防止情報を検出する手段において、盗撮防止情報発生装置自身が有する盗撮防止を意味する形状を複数個認識し、認識された複数個の形状認識情報により盗撮防止情報の有無を判定するので、撮像された盗撮防止情報の大きさに関係なく、盗撮防止を意味する形状を認識することができ、より精度の高い盗撮防止情報の有無の判定が可能となる。
【０１６８】
また本発明の撮像装置は、盗撮防止情報を検出する手段において、盗撮防止情報発生装置が発生する盗撮防止を意味する特定の点滅パターンを判定するので、その盗撮防止情報発生装置を撮像されたくない被写体に装着、或いは盗撮が行われそうな場所に設置するだけで盗撮行為を検出することが可能となる。このように盗撮防止情報を盗撮防止を意味する特定の点滅パターンで発生させることにより、撮像装置における盗撮防止情報を検出する手段は、発光色、形状、撮像された盗撮防止情報の大きさ等に関係なく、精度の高い盗撮防止情報の有無の判定が可能となる。
【０１６９】
また本発明の撮像装置は、盗撮防止情報を検出する手段において、盗撮防止情報発生装置が発生する盗撮防止を意味する特定の点滅パターンを判定し、点滅パターンの履歴情報により盗撮防止情報の有無を判定するので、誤判定が少なく、より精度の高い盗撮防止情報の有無の判定が可能となる。
【０１７０】
また本発明の撮像装置は、盗撮防止情報発生装置から発生する盗撮防止情報を撮像することで盗撮防止情報を検出するので、カメラ部をリモート制御するためのリモートコントロール受信装置のような外的要因により撮像機能を制御する手段の有無に関わらず、全ての撮像装置において盗撮行為を防止することが可能となる。
【０１７１】
また、本発明の撮像装置は、盗撮防止情報発生装置を撮像されたくない被写体に装着、或いは設置しない限り、通常の使われ方をした場合の撮像装置と何等かわりのないものであるため、通常の使用において不便を強要される要素はない。
【０１７２】
さらにまた、本発明の撮像装置は、被写体が撮像装置により撮像されたくないという意志を持っている場合に盗撮防止情報発生装置を装着、或いは設置することで、撮像装置が被写体を撮像しているか否かを気にしなくても、撮像装置に対して常に撮像されたくないという意志を伝えることが可能となり、被写体が無意識の状態であったとしても、勝手に撮像されるということがなくなる。
【０１７３】
さらに加えると、本発明によれば、撮像装置にデジタル方式による通信技術が用いられたとしても、以下に示すとおり、犯人検挙は容易になる。すなわち、通信内容がデジタル化されたときに符号化・暗号化されていても、交換局内の回線交換機にて符号化・暗号化されない盗撮防止情報を受信するだけなので、通信内容の傍受は難しいとしても、送信側の加入者が使用する撮像装置において盗撮された画像を見ている盗撮者がいることを検知することは可能となる。また、電波自体は公認の電波であるが、交換局内の回線交換機にて送信側の加入者が使用する撮像装置において盗撮が行われていることと、受信側の加入者が使用する画像受信装置において盗撮された画像を見ている盗撮者がいることを検知することが可能となるので、容易に盗撮犯罪の発見・盗撮者の検挙が可能となる。
【０１７４】
また、公衆回線網が使用されるため、遠く離れた場所から盗撮画像を受信することが出来たとしても、警察などの犯罪捜査機関や回線監視者は受信側の加入者が使用する画像受信装置において盗撮された画像を見ている盗撮者がいることを検知することが可能となるので、盗撮者の近くの犯罪捜査機関や回線監視者に通知することで、素早い盗撮者の検挙が可能となる。
【図面の簡単な説明】
【図１】本発明の第１実施例を説明するための図である。
【図２】本発明の第２の実施例を説明するためのブロック図である。
【図３】図２における盗撮防止画像出力部の詳細構成を示すブロック図である。
【図４】本発明の第３の実施例における盗撮防止画像出力部の構成を示すブロック図である。
【図５】本発明の第４の実施例を説明するための図である。
【図６】本発明の第５の実施例を説明するための図である。
【図７】本発明の第６の実施例を説明するための図である。
【図８】本発明の第７の実施例を説明するための図である。
【図９】本発明の第８の実施例を説明するための図である。
【図１０】本発明の第９の実施例を説明するための図である。
【図１１】本発明の第１０の実施例を説明するための図である。
【図１２】本発明の第１１の実施例を説明するための図である。
【図１３】本発明の図１２における通信回路網の詳細構成を概略的に示した図である。
【図１４】本発明の図１３における交換局の詳細構成を示したブロック図である。
【図１５】本発明の第１２の実施例を示すブロック図である。
【図１６】本発明の第１３の実施例を示すブロック図である。
【図１７】本発明の第１４の実施例における盗撮防止情報検出部を示すブロック図である。
【図１８】図１７における盗撮防止情報検出部に入力される色差信号において、色差信号Ｃｂをｘ軸、色差信号Ｃｒをｙ軸とする色座標空間を示した図である。
【図１９】本発明の第１５の実施例における盗撮防止情報検出部を示すブロック図である。
【図２０】図１９における盗撮防止色情報記憶部から読み出される盗撮防止色情報の一例の詳細を説明するための図である。
【図２１】本発明の第１６の実施例における盗撮防止情報検出部を示すブロック図である。
【図２２】本発明の第１６の実施例における盗撮防止情報の形状、エッジ情報記憶部から読み出されたエッジ情報、及び盗撮防止形状認識部が有するテンプレートを説明するための図である。
【図２３】本発明の第１６の実施例におけるエッジ抽出部で用いられるSobelオペレータを説明するための図である。
【図２４】本発明の第１７の実施例における盗撮防止情報検出部を示すブロック図である。
【図２５】本発明の第１７の実施例における盗撮防止情報の形状、及び特徴テンプレートを説明するための図である。
【図２６】本発明の第１７の別の実施例における盗撮防止情報の形状、及びテンプレートをの他の例を説明するための図である。
【図２７】本発明の第１８の実施例における盗撮防止情報検出部を示すブロック図である。
【図２８】本発明の第１８の実施例における撮像装置が撮像している画像の一例を示す図である。
【図２９】本発明の第１８の実施例における撮像装置のカメラセンサが撮像している動作と、盗撮防止情報発生装置における点灯動作とを説明するためのタイミング・チャートである。
【図３０】本発明の第１８の実施例における撮像装置のカメラセンサが撮像している動作と、盗撮防止情報発生装置における点灯動作との他の例を説明するためのタイミング・チャートである。
【図３１】本発明の第１９の実施例における盗撮防止情報検出部を示すブロック図である。
【符号の説明】
１…被写体、２…盗撮防止情報発生装置、３…撮像装置、４…カメラセンサ、５…デジタル信号処理部、６…盗撮防止情報検出部、７…撮像制御部、８…盗撮防止画像出力部、９…盗撮防止画像生成部、１０…切替部、１１…盗撮防止画像処理部、１２…盗撮防止音声信号出力部、１３…スピーカ、１４…盗撮防止信号発生部、１５…アンテナ、１６…盗撮防止電波検出装置、１７…送信部、１８…通信回線網、１９…画像受信装置、２０…受信部、２１…表示部、２２…盗撮者、２３…多重化部、２４…分離化部、２５…表示制御部、２６…犯罪捜査機関、２７…被害者宅、２８…盗撮者宅、２９…基地局、３０…交換局、３１…公衆回線網、３２…盗撮防止信号送信機能付き送信部、３３…回線交換機、３４…盗撮防止信号受信機能付き加入者回路、３５…通話路スイッチ、３６…中央制御装置、３７…盗撮防止機能付き加入者回路、３８…盗撮防止情報通知回路、３９…犯罪捜査機関、４０…色振幅算出部、４１…色位相算出部、４２…盗撮防止色判定部、４３…盗撮防止色情報記録部、４４…盗撮防止色面積算出部、４５…盗撮防止情報判定部、４６…盗撮防止情報、４７…非盗撮防止色画素、４８…盗撮防止色画素、４９…エッジ抽出部、５０…エッジ情報記憶部、５１…盗撮防止形状認識部、５２…第ｎの盗撮防止形状認識部、５３…盗撮防止情報判定部、５４…二値化処理部、５５…切替部、５６…第ｎの二値化情報記憶部、５７…点滅パターン判定部、５８…点滅画素情報履歴記憶部、５９…盗撮防止情報判定部、ａ…デジタル信号、ｂ,ｉ…画像信号、ｃ,ｌ…盗撮防止信号、ｄ…警告画像信号、ｅ…盗撮防止画像処理信号、ｆ…盗撮防止音声信号、ｇ…盗撮防止信号、ｈ,ｐ…通信路、ｊ,ｋ…多重化信号、ｍ…盗撮防止警告画像信号、ｎ…専用線、ｏ…回線、ｑ…受信状況情報、ｒ…盗撮防止色情報、ｓ…画素毎の盗撮防止色情報、ｔ…エッジ情報、ｕ…画素毎のエッジ情報、ｖ…形状認識情報、ｗ…二値化情報、ｘ…二値化情報パターン、ｙ…点滅画素情報、ｚ…履歴情報。
【図１】
0004063463.tif 000010
【図２】
0004063463.tif 000011
【図３】
0004063463.tif 000012
【図４】
0004063463.tif 000013
【図５】
0004063463.tif 000014
【図６】
0004063463.tif 000015
【図７】
0004063463.tif 000016
【図８】
0004063463.tif 000017
【図９】
0004063463.tif 000018
【図１０】
0004063463.tif 000019
【図１１】
0004063463.tif 000020
【図１２】
0004063463.tif 000021
【図１３】
0004063463.tif 000022
【図１４】
0004063463.tif 000023
【図１５】
0004063463.tif 000024
【図１６】
0004063463.tif 000025
【図１７】
0004063463.tif 000026
【図１８】
0004063463.tif 000027
【図１９】
0004063463.tif 000028
【図２０】
0004063463.tif 000029
【図２１】
0004063463.tif 000030
【図２２】
0004063463.tif 000031
【図２３】
0004063463.tif 000032
【図２４】
0004063463.tif 000033
【図２５】
0004063463.tif 000034
【図２６】
0004063463.tif 000035
【図２７】
0004063463.tif 000036
【図２８】
0004063463.tif 000037
【図２９】
0004063463.tif 000038
【図３０】
0004063463.tif 000039
【図３１】
0004063463.tif 000040